(57)【要約】液晶表示装置は、画像を表示可能な表示部（ＡＡ）及び表示部（ＡＡ）外の非表示部（ＮＡＡ）を有する液晶パネル（１１）と、外部の信号供給源に接続されるリジッド基板部（２２）と、液晶パネル（１１）とフレキシブル基板部（２３）との並び方向を第１方向（Ｙ）とし、液晶パネル（１１）の板面に沿い且つ第１方向（Ｙ）と直交する方向を第２方向（Ｘ）としたとき、第２方向（Ｘ）についての寸法がリジッド基板部（２２）よりも相対的に大きなものとされるとともに、リジッド基板部（２２）に対して第２方向（Ｘ）について外側に配される部分である第１端側部分（２４ａ）を少なくとも含むフレキシブル端側部分（２４）の方が、フレキシブル端側部分（２４）に対して第２方向（Ｘ）について中央側に配されるフレキシブル中央側部分（２５）よりも第１方向（Ｙ）についての寸法が相対的に大きなものとされるフレキシブル基板部（２３）と、を備える。
2014073504.tif 000002
【特許請求の範囲】
【請求項１】
画像を表示可能な表示部及び前記表示部外の非表示部を有する表示パネルと、
外部の信号供給源に接続される信号供給基板と、
可撓性を有しており、一端側が前記表示パネルの前記非表示部に取り付けられるのに対し、他端側が前記信号供給基板に接続されることで前記信号供給基板からの信号の供給を中継するフレキシブル基板であって、前記表示パネルと前記フレキシブル基板との並び方向を第１方向とし、前記表示パネルの板面に沿い且つ前記第１方向と直交する方向を第２方向としたとき、前記第２方向についての寸法が前記信号供給基板よりも相対的に大きなものとされるとともに、前記信号供給基板に対して前記第２方向について外側に配される部分を少なくとも含む端側部分の方が、前記端側部分に対して前記第２方向について中央側に配される中央側部分よりも前記第１方向についての寸法が相対的に大きなものとされるフレキシブル基板と、を備える表示装置。
【請求項２】
前記フレキシブル基板の前記端側部分には、前記信号供給基板に対して前記第２方向について外側に配される部分に加えてそれに隣り合う部分が含まれている請求項１記載の表示装置。
【請求項３】
前記フレキシブル基板は、前記端側部分のうち前記信号供給基板に対して前記第２方向について外側に配される部分に隣り合う部分が前記信号供給基板に対して接続されるとともに、前記信号供給基板に対して前記第２方向について外側に配される部分における前記第１方向についての寸法が前記第２方向について端側から中央側に向けて一定とされるよう、または増加するよう形成されている請求項２記載の表示装置。
【請求項４】
前記信号供給基板は、前記フレキシブル基板の前記端側部分に接続される端側部分の方が、前記フレキシブル基板の前記中央側部分に接続される中央側部分よりも前記第１方向についての寸法が相対的に小さなものとされる請求項１から請求項３のいずれか１項に記載の表示装置。
【請求項５】
前記信号供給基板における前記端側部分及び前記中央側部分は、前記フレキシブル基板側とは反対側の端部が互いに面一状をなしている請求項４記載の表示装置。
【請求項６】
前記フレキシブル基板における前記端側部分及び前記中央側部分は、前記第１方向についての前記表示パネルに対する取付位置が同一とされる請求項１から請求項５のいずれか１項に記載の表示装置。
【請求項７】
前記フレキシブル基板は、前記端側部分と前記中央側部分とが少なくとも分割されていて、前記端側部分からなる端側分割フレキシブル基板と、前記中央側部分からなる中央側分割フレキシブル基板とを少なくとも有してなる請求項１から請求項６のいずれか１項に記載の表示装置。
【請求項８】
前記中央側分割フレキシブル基板は、複数に分割されていて、複数の中央側分割フレキシブル基板個片からなる請求項７記載の表示装置。
【請求項９】
前記信号供給基板は、前記フレキシブル基板の前記端側部分に接続される端側部分の方が、前記フレキシブル基板の前記中央側部分に接続される中央側部分よりも前記第１方向についての寸法が相対的に小さなものとされており、
前記フレキシブル基板は、前記端側分割フレキシブル基板が前記信号供給基板の前記端側部分に接続されるのに対し、前記中央側分割フレキシブル基板が前記信号供給基板の前記中央側部分に接続されるよう構成されている請求項７または請求項８記載の表示装置。
【請求項１０】
前記表示パネルの前記非表示部において前記表示部と前記フレキシブル基板との間に位置する形で取り付けられ、前記信号供給基板及び前記フレキシブル基板を介して供給される信号を処理して生成した出力信号を前記表示部に出力することで前記表示パネルを駆動する駆動回路部を備えており、
前記駆動回路部は、前記非表示部において前記第２方向に沿って複数並んで配されるとともに、前記端側分割フレキシブル基板に接続される端側用駆動回路部と、前記中央側分割フレキシブル基板に接続される中央側用駆動回路部とを少なくとも有してなる請求項７から請求項９のいずれか１項に記載の表示装置。
【請求項１１】
前記フレキシブル基板のうち、前記第２方向について前記信号供給基板に対して外側に配されて前記端側部分の少なくとも一部を構成する部分は、前記他端側の端部が傾斜状に形成されている請求項１から請求項１０のいずれか１項に記載の表示装置。
【請求項１２】
前記信号供給基板と前記フレキシブル基板とが一体化されてなるフレキシブルリジッド基板を備えており、
前記フレキシブルリジッド基板は、可撓性を有するフレキシブル材の一部を相対的に硬質な一対のリジッド材により挟み込んだ構成とされるとともに、前記一対のリジッド材とそれらに挟み込まれた前記フレキシブル材の一部とにより構成されるリジッド基板部と、前記フレキシブル材の残りの部分により構成されるフレキシブル基板部とからなるものとされており、
前記フレキシブル基板部は、前記第２方向についての寸法が前記リジッド基板部よりも相対的に大きなものとされるとともに、前記リジッド基板部に対して前記第２方向について外側に配される部分を少なくとも含む端側部分の方が、前記端側部分に対して前記第２方向について中央側に配される中央側部分よりも前記第１方向についての寸法が相対的に大きなものとされる請求項１から請求項１１のいずれか１項に記載の表示装置。
【請求項１３】
前記表示パネルの前記非表示部において前記表示部と前記フレキシブル基板との間に位置する形で設けられ、前記信号供給基板及び前記フレキシブル基板を介して供給される信号を前記表示部に伝送する信号伝送配線を備えている請求項１から請求項１２のいずれか１項に記載の表示装置。
【請求項１４】
前記表示パネルは、一対の基板間に液晶を封入してなる液晶パネルとされる請求項１から請求項１３のいずれか１項に記載の表示装置。
【発明の詳細な説明】
【技術分野】
【０００１】
本発明は、表示装置に関する。
【背景技術】
【０００２】
ノート型パソコンなどの電子機器には、液晶パネルなどの表示パネルを備えた表示装置が用いられている。このような表示装置は、画像を表示する表示部を有する表示パネルと、信号供給源に接続される信号供給基板と、表示パネル及び信号供給基板の双方に接続されて表示パネルへの信号の供給を中継するフレキシブル基板とを備えている。なお、この種の表示装置の一例として下記特許文献１に記載されたものが知られている。
【先行技術文献】
【特許文献】
【０００３】
【特許文献１】特開平１１−３８４３０号公報
【０００４】
（発明が解決しようとする課題）
この特許文献１に記載されたものでは、フレキシブル基板に切り込みを入れ、その切り込みによってフレキシブル基板の一部を裏面側に折り込む構成としており、それにより液晶表示装置の金属フレームのコーナー部に取り付け穴を形成するスペースを確保している。【０００５】
しかしながら、フレキシブル基板における折り込み部分は、信号供給基板に対して直接接続されないため、折り込まれない部分にまで配線を引き回す必要がある。ところが、フレキシブル基板のうち折り込み部分と折り込まれない部分との間には、切り込みが存在するため、配線を引き回すスペースを十分に確保することができない。このため、液晶パネルが高精細化（高解像度化）され、液晶パネル及びフレキシブル基板に形成される配線の本数が多くなった場合には、フレキシブル基板における折り込み部分と折り込まれない部分との接続部分の幅を大きくする必要が生じ、そうなると表示装置の額縁部分が拡張されるという問題が生じていた。つまり、高精細化及び狭額縁化の両立を図るのは困難であった。
【発明の概要】
【０００６】
本発明は上記のような事情に基づいて完成されたものであって、高精細化及び狭額縁化の両立を図ることを目的とする。
【０００７】
（課題を解決するための手段）
本発明の表示装置は、画像を表示可能な表示部及び前記表示部外の非表示部を有する表示パネルと、外部の信号供給源に接続される信号供給基板と、可撓性を有しており、一端側が前記表示パネルの前記非表示部に取り付けられるのに対し、他端側が前記信号供給基板に接続されることで前記信号供給基板からの信号の供給を中継するフレキシブル基板であって、前記表示パネルと前記フレキシブル基板との並び方向を第１方向とし、前記表示パネルの板面に沿い且つ前記第１方向と直交する方向を第２方向としたとき、前記第２方向についての寸法が前記信号供給基板よりも相対的に大きなものとされるとともに、前記信号供給基板に対して前記第２方向について外側に配される部分を少なくとも含む端側部分の方が、前記端側部分に対して前記第２方向について中央側に配される中央側部分よりも前記第１方向についての寸法が相対的に大きなものとされるフレキシブル基板と、を備える。
【０００８】
このようにすれば、外部の信号供給源に接続された信号供給基板からの信号は、一端側が表示パネルの非表示部に取り付けられるのに対し、他端側が信号供給基板に接続されるフレキシブル基板により中継されて表示パネルへと供給される。フレキシブル基板は、表示パネルとフレキシブル基板との並び方向を第１方向とし、表示パネルの板面に沿い且つ第１方向と直交する方向を第２方向としたとき、第２方向についての寸法が信号供給基板よりも相対的に大きなものとされるから、仮に上記寸法を信号供給基板と同じにした場合に比べると、表示パネルに対する取付範囲が拡張されることになる。従って、表示パネルが高精細化（高解像度化）されるのに伴って表示パネル上の配線数が増加された場合に好適となる。これに対し、信号供給基板は、フレキシブル基板よりも第２方向についての寸法が相対的に小さくなっているから、第２方向についての外側に他の部材を配した場合に他の部材が干渉し難くなる。
【０００９】
しかも、フレキシブル基板は、信号供給基板に対して第２方向について外側に配される部分を少なくとも含む端側部分の方が、端側部分に対して第２方向について中央側に配される中央側部分よりも第１方向についての寸法が相対的に大きなものとされるから、端側部分を配線パターンの引き回し領域として利用することで、当該表示装置の狭額縁化を図ることが可能とされており、以下にその理由を詳しく説明する。すなわち、まず、フレキシブル基板は、第２方向についての寸法が信号供給基板よりも相対的に大きなものとされているので、フレキシブル基板の配線パターンを設計するに際しては、第２方向について端側から中央側に配線パターンを集約するよう引き回す必要がある。このとき、フレキシブル基板の端側部分は、中央側部分よりも第１方向についての寸法が相対的に大きなものとされているので、この端側部分に配線パターンを中央側に向けて集約するための引き回し領域が十分に確保される。従って、仮にフレキシブル基板の端側部分と中央側部分とにおける第１方向についての寸法を同じとした場合に、表示パネル側に配線パターンの引き回し領域を確保する必要が生じるのに比べると、表示パネルの非表示部の幅、つまり当該表示装置の額縁部分を狭くすることが可能とされるのである。以上により、表示パネルの高精細化及び当該表示装置の狭額縁化を両立することが可能となる。
【００１０】
本発明の実施態様として、次の構成が好ましい。
（１）前記フレキシブル基板の前記端側部分には、前記信号供給基板に対して前記第２方向について外側に配される部分に加えてそれに隣り合う部分が含まれている。フレキシブル基板の端側部分を配線パターンの引き回し領域として利用したとき、配線パターンの引き回し領域が第２方向についてより広くなるから、さらなる高精細化及び狭額縁化に好適となる。
【００１１】
（２）前記フレキシブル基板は、前記端側部分のうち前記信号供給基板に対して前記第２方向について外側に配される部分に隣り合う部分が前記信号供給基板に対して接続されるとともに、前記信号供給基板に対して前記第２方向について外側に配される部分における前記第１方向についての寸法が前記第２方向について端側から中央側に向けて一定とされるよう、または増加するよう形成されている。フレキシブル基板は、表示パネルが高精細化されるのに伴って配線パターンの配置密度が高くなる傾向とされる。上記したように信号供給基板に対して第２方向について外側に配される部分における第１方向についての寸法が第２方向について端側から中央側に向けて一定とされるよう、または増加するよう形成されているので、仮にフレキシブル基板のうち信号供給基板に対して第２方向について外側に配される部分の途中にスリットを設けるなどして第１方向についての寸法が第２方向について端側から中央側に向かう途中で局所的に小さくなる場合に比べると、配線パターンを高密度化する上で好適とされる。従って、表示パネルの高精細化に一層好適となる。
【００１２】
（３）前記信号供給基板は、前記フレキシブル基板の前記端側部分に接続される端側部分の方が、前記フレキシブル基板の前記中央側部分に接続される中央側部分よりも前記第１方向についての寸法が相対的に小さなものとされる。このようにすれば、仮に信号供給基板における端側部分と中央側部分とで第１方向についての寸法を同一とし且つ表示パネルに対するフレキシブル基板の取付位置をその端側部分と中央側部分とで第１方向についてずらす構成とした場合に比べると、少なくとも表示パネルに対するフレキシブル基板の端側部分及び中央側部分の取付位置を第１方向についてより近くすることができる。また、仮に信号供給基板における端側部分と中央側部分とで第１方向についての寸法を同一とし且つ信号供給基板におけるフレキシブル基板側とは反対側の端部に段差が有される構成とした場合に比べると、信号供給基板に生じ得る段差を緩和することができる。
【００１３】
（４）前記信号供給基板における前記端側部分及び前記中央側部分は、前記フレキシブル基板側とは反対側の端部が互いに面一状をなしている。このようにすれば、信号供給基板におけるフレキシブル基板側とは反対側の端部に段差が生じることが避けられるので、他の部材との干渉がより生じ難くなる。
【００１４】
（５）前記フレキシブル基板における前記端側部分及び前記中央側部分は、前記第１方向についての前記表示パネルに対する取付位置が同一とされる。このようにすれば、フレキシブル基板を表示パネルに対して取り付ける作業を行うに際して自動機を用いることが可能とされる。これにより、フレキシブル基板の取付作業を効率的に容易に行うことが可能となる。
【００１５】
（６）前記フレキシブル基板は、前記端側部分と前記中央側部分とが少なくとも分割されていて、前記端側部分からなる端側分割フレキシブル基板と、前記中央側部分からなる中央側分割フレキシブル基板とを少なくとも有してなる。このようにすれば、端側分割フレキシブル基板及び中央側分割フレキシブル基板は、熱環境の変化によって熱膨張または熱収縮した場合、それぞれが個別に伸縮し、その伸縮量は各分割フレキシブル基板の大きさに基づいたものとなる。各分割フレキシブル基板における熱膨張または熱収縮に伴う伸縮量は、仮にフレキシブル基板を非分割とした場合における伸縮量に比べて相対的に小さなものとなる。従って、例えばフレキシブル基板を表示パネルに対して熱圧着する場合、熱圧着に伴って生じる各分割フレキシブル基板の熱膨張または熱収縮に起因する伸縮量が小さなものとなるので、表示パネルに対する取付位置が適切なものとなる。しかも、フレキシブル基板は、端側部分と中央側部分とが少なくとも分割されており、これら端側部分及び中央側部分は第１方向についての大きさが互いに異なるものとされていることから、端側分割フレキシブル基板及び中央側分割フレキシブル基板における第１方向についての大きさは、互いに異なるもののそれぞれほぼ一定となる。従って、各分割フレキシブル基板に係る製造コストが抑制される。
【００１６】
（７）前記中央側分割フレキシブル基板は、複数に分割されていて、複数の中央側分割フレキシブル基板個片からなる。このようにすれば、熱膨張または熱収縮時における中央側分割フレキシブル基板を構成する各中央側分割フレキシブル基板個片の伸縮量は、仮に中央側分割フレキシブル基板を非分割とした場合における伸縮量に比べて相対的に小さなものとなる。従って、例えばフレキシブル基板を表示パネルに対して熱圧着する場合に各中央側分割フレキシブル基板個片に生じる伸縮量がより小さなものとなって表示パネルに対する取付位置がより適切なものとなる。
【００１７】
（８）前記信号供給基板は、前記フレキシブル基板の前記端側部分に接続される端側部分の方が、前記フレキシブル基板の前記中央側部分に接続される中央側部分よりも前記第１方向についての寸法が相対的に小さなものとされており、前記フレキシブル基板は、前記端側分割フレキシブル基板が前記信号供給基板の前記端側部分に接続されるのに対し、前記中央側分割フレキシブル基板が前記信号供給基板の前記中央側部分に接続されるよう構成されている。このようにすれば、フレキシブル基板のうち第１方向について相対的に大きな端側分割フレキシブル基板は、信号供給基板のうち第１方向について相対的に小さな端側部分に接続されるのに対し、フレキシブル基板のうち第１方向について相対的に小さな中央側分割フレキシブル基板は、信号供給基板のうち第１方向について相対的に大きな中央側部分に接続される。これにより、各分割フレキシブル基板が、信号供給基板における端側部分と中央側部分とに跨る形で接続されることが避けられる。
【００１８】
（９）前記表示パネルの前記非表示部において前記表示部と前記フレキシブル基板との間に位置する形で取り付けられ、前記信号供給基板及び前記フレキシブル基板を介して供給される信号を処理して生成した出力信号を前記表示部に出力することで前記表示パネルを駆動する駆動回路部を備えており、前記駆動回路部は、前記非表示部において前記第２方向に沿って複数並んで配されるとともに、前記端側分割フレキシブル基板に接続される端側用駆動回路部と、前記中央側分割フレキシブル基板に接続される中央側用駆動回路部とを少なくとも有してなる。このようにすれば、表示パネルの非表示部に取り付けられた駆動回路部は、信号供給基板及びフレキシブル基板を介して供給される信号を処理して出力信号を生成し、その出力信号を表示部に出力することで表示パネルを駆動するものとされる。このとき、端側分割フレキシブル基板からの信号は、駆動回路部をなす端側用駆動回路部により処理されるのに対し、中央側分割フレキシブル基板からの信号は、駆動回路部をなす中央側用駆動回路部により処理される。このように端側分割フレキシブル基板と中央側分割フレキシブル基板とで接続対象となる駆動回路部が端側用駆動回路部と中央側用駆動回路部とに分けられているから、例えば各分割フレキシブル基板と各駆動回路部とを接続するための配線パターンを非表示部に設ける場合にその配線パターンを効率良く配置することが可能となる。これにより、高精細化及び狭額縁化により好適となる。
【００１９】
（１０）前記フレキシブル基板のうち、前記第２方向について前記信号供給基板に対して外側に配されて前記端側部分の少なくとも一部を構成する部分は、前記他端側の端部が傾斜状に形成されている。このように、フレキシブル基板のうち第２方向について信号供給基板に対して外側に配される部分における他端側、つまり表示パネル側とは反対側の端部が傾斜状に形成されることで、フレキシブル基板に対して第１方向についての外側に他の部材を配した場合に他の部材が干渉し難くなる。
【００２０】
（１１）前記信号供給基板と前記フレキシブル基板とが一体化されてなるフレキシブルリジッド基板を備えており、前記フレキシブルリジッド基板は、可撓性を有するフレキシブル材の一部を相対的に硬質な一対のリジッド材により挟み込んだ構成とされるとともに、前記一対のリジッド材とそれらに挟み込まれた前記フレキシブル材の一部とにより構成されるリジッド基板部と、前記フレキシブル材の残りの部分により構成されるフレキシブル基板部とからなるものとされており、前記フレキシブル基板部は、前記第２方向についての寸法が前記リジッド基板部よりも相対的に大きなものとされるとともに、前記リジッド基板部に対して前記第２方向について外側に配される部分を少なくとも含む端側部分の方が、前記端側部分に対して前記第２方向について中央側に配される中央側部分よりも前記第１方向についての寸法が相対的に大きなものとされる。このようにすれば、信号供給基板とフレキシブル基板とが一体化してなるフレキシブルリジッド基板が備えられることで、仮に信号供給基板とフレキシブル基板とを別部品として相互を熱圧着などにより機械的に取り付けるようにした場合に比べると、取り付け不良が生じ難くなるとともに配線抵抗が低くなるなどの効果を得ることができる。その上で、フレキシブル基板部は、第２方向についての寸法がリジッド基板部よりも相対的に大きなものとされるから、仮に上記寸法をリジッド基板部と同じにした場合に比べると、表示パネルに対する取付範囲が拡張され、もって表示パネルの高精細化に好適となる。これに対し、リジッド基板部は、フレキシブル基板部よりも第２方向についての寸法が相対的に小さくなっているので、第２方向についての外側に他の部材を配した場合に他の部材が干渉し難くなる。しかも、フレキシブル基板部は、リジッド基板部に対して第２方向について外側に配される部分を少なくとも含む端側部分の方が、端側部分に対して第２方向について中央側に配される中央側部分よりも第１方向についての寸法が相対的に大きなものとされるから、端側部分を配線パターンの引き回し領域として利用することで、当該表示装置の狭額縁化を図ることが可能とされる。
【００２１】
（１２）前記表示パネルの前記非表示部において前記表示部と前記フレキシブル基板との間に位置する形で設けられ、前記信号供給基板及び前記フレキシブル基板を介して供給される信号を前記表示部に伝送する信号伝送配線を備えている。このようにすれば、フレキシブル基板の配線パターンを設計するに際して、フレキシブル基板の端側部分において配線パターンが端側から中央側に向けて集約するよう引き回す構成を採れば、表示パネルの非表示部に設ける信号伝送配線を設けるに際してその信号伝送配線を端側から中央側に向けて集約する必要性が低くなる。従って、表示パネルの非表示部に信号配線を設けるためのスペースをそれほど広く確保する必要がなくなり、もって表示パネルの高精細化及び当該表示装置の狭額縁化を好適に両立させることが可能とされる。
【００２２】
（１３）前記表示パネルは、一対の基板間に液晶を封入してなる液晶パネルとされる。このような表示装置は液晶表示装置として、種々の用途、例えば携帯型情報端末（ノート型パソコンなど）、携帯電話、携帯型ゲーム機などの各種電子機器に適用できる。
【００２３】
（発明の効果）
本発明によれば、高精細化及び狭額縁化の両立を図ることができる。
【図面の簡単な説明】
【００２４】
【図１】本発明の実施形態１に係るノート型パソコンを概略的に表す斜視図
【図２】液晶パネル及びフレキシブルリジッド基板を示す平面図
【図３】液晶パネルの断面図
【図４】液晶パネルを構成するアレイ基板の平面構成を示す拡大平面図
【図５】液晶パネルを構成するＣＦ基板の平面構成を示す拡大平面図
【図６】液晶パネル及びフレキシブルリジッド基板を示す拡大平面図
【図７】図６のvii-vii線断面図
【図８】液晶パネルに対してフレキシブルリジッド基板を取り付ける前の状態を示す拡大平面図
【図９】本発明の実施形態２に係る液晶パネル及びフレキシブルリジッド基板を示す平面図
【図１０】液晶パネル及びフレキシブルリジッド基板を示す拡大平面図
【図１１】液晶パネルに対してフレキシブルリジッド基板を取り付ける前の状態を示す拡大平面図
【図１２】本発明の実施形態３に係る液晶パネル及びフレキシブルリジッド基板を示す拡大平面図
【図１３】本発明の実施形態４に係る液晶パネル及びフレキシブルリジッド基板を示す拡大平面図
【図１４】本発明の実施形態５に係る液晶パネル及びフレキシブルリジッド基板を示す拡大平面図
【図１５】本発明の実施形態６に係る液晶パネル及びフレキシブルリジッド基板を示す平面図
【図１６】本発明の実施形態７に係る液晶パネル及びフレキシブルリジッド基板を示す平面図
【図１７】本発明の実施形態８に係る液晶パネル及びフレキシブルリジッド基板を示す平面図
【図１８】本発明の実施形態９に係る液晶パネル及びフレキシブルリジッド基板を示す拡大平面図
【図１９】本発明の実施形態１０に係る液晶パネル、フレキシブル基板、及びリジッド基板を示す拡大平面図
【図２０】図１９のxx-xx線断面図
【図２１】本発明の実施形態１１に係る液晶表示装置の概略を表す斜視図
【図２２】参考例に係る液晶パネル及びフレキシブルリジッド基板を示す拡大平面図
【発明を実施するための形態】
【００２５】
＜実施形態１＞
本発明の実施形態１を図１から図８によって説明する。本実施形態では、ノート型パソコン（ノート型パーソナルコンピュータ）ＮＰに用いられる液晶表示装置（表示装置）１０について例示する。なお、各図面の一部にはＸ軸、Ｙ軸及びＺ軸を示しており、各軸方向が各図面で示した方向となるように描かれている。また、上下方向については、図３などを基準とし、且つ同図上側を表側とするとともに同図下側を裏側とする。
【００２６】
ノート型パソコンＮＰは、図１に示すように、パソコン本体ＮＰＢと、パソコン本体ＮＰＢに対してヒンジ部ＨＩを介して回動可能に取り付けられる液晶表示装置１０とを少なくとも有している。パソコン本体ＮＰＢは、使用者が情報を入力するためのキーボードやタッチパッドなどの入力装置ＩＮと、入力装置ＩＮ及び液晶表示装置１０などに電気的に接続されてこれらと各種信号をやりとりするメイン基板部（図示せず）とを少なくとも有している。なお、パソコン本体ＮＰＢには、いずれも図示は省略するが、ＣＰＵなどからなる演算装置、半導体メモリなどからなる揮発性主記憶装置、及びハードディスクなどからなる不揮発性補助記憶装置などが備えられている。ヒンジ部ＨＩは、パソコン本体ＮＰＢと液晶表示装置１０との接合箇所における両端位置に一対設けられるとともにその軸線周りに液晶表示装置１０がパソコン本体ＮＰＢに対して所定の角度範囲内で回動して開閉するのを可能としている。液晶表示装置１０は、図２に示すように、画像を表示するための液晶パネル（表示パネル）１１と、液晶パネル１１を駆動するドライバ（駆動回路部）１２と、液晶パネル１１に取り付けられるフレキシブルリジッド基板（フレキシブル基板及び信号供給基板）１３と、液晶パネル１１に対して光を供給する外部光源であるバックライト装置（図示せず）とを少なくとも有している。なお、パソコン本体ＮＰＢ及び液晶表示装置１０は、それぞれ合成樹脂製または金属製のキャビネット（外装部材、化粧材）を有している。
【００２７】
続いて、液晶表示装置１０の構成部品について詳しく説明する。まず、液晶パネル１１について説明する。液晶パネル１１は、図２に示すように、全体として横長な方形状（矩形状）をなしており、その短辺方向における一方の端部側（図１に示す上側）に片寄った位置に画像を表示可能な表示部（アクティブエリア）ＡＡが配されるとともに、短辺方向における他方の端部側（図１に示す下側）に片寄った位置にドライバ１２及びフレキシブルリジッド基板１３がそれぞれ取り付けられている。液晶パネル１１のうち表示部ＡＡ外の領域が画像を表示することがない非表示部（ノンアクティブエリア）ＮＡＡとされており、この非表示部ＮＡＡは、表示部ＡＡを取り囲む額縁状（枠状）の領域（後述するＣＦ基板１１ａにおける額縁部分）と、短辺方向の他方の端部側に確保された領域（後述するアレイ基板１１ｂのうちＣＦ基板１１ａとは重畳せずに露出する部分）とからなり、このうちの短辺方向の他方の端部側に確保され、Ｘ軸方向に沿って延在する領域にドライバ１２及びフレキシブルリジッド基板１３の実装領域（取付領域）が含まれている。液晶パネル１１における長辺方向が各図面のＸ軸方向と一致し、短辺方向が各図面のＹ軸方向と一致している。なお、図２では、ＣＦ基板１１ａよりも一回り小さな枠状の実線が表示部ＡＡの外形を表しており、当該実線よりも外側の領域が非表示部ＮＡＡとなっている。また、液晶パネル１１の画面サイズは、数インチ〜１０数インチ程度とされ、一般的には小型または中小型に分類される大きさとされている。
【００２８】
液晶パネル１１は、図３に示すように、一対の透明な（透光性を有する）ガラス製の基板１１ａ，１１ｂと、両基板１１ａ，１１ｂ間に介在し、電界印加に伴って光学特性が変化する物質である液晶分子を含む液晶層１１ｃとを備え、両基板１１ａ，１１ｂが液晶層１１ｃの厚さ分のギャップを維持した状態で図示しないシール剤によって貼り合わせられている。両基板１１ａ，１１ｂのうち表側（正面側）がＣＦ基板１１ａとされ、裏側（背面側）がアレイ基板１１ｂとされる。このうち、ＣＦ基板１１ａは、図２に示すように、長辺寸法がアレイ基板１１ｂと概ね同等であるものの、短辺寸法がアレイ基板１１ｂよりも小さなものとされるとともに、アレイ基板１１ｂに対して短辺方向についての一方（図２に示す上側）の端部を揃えた状態で貼り合わせられている。従って、アレイ基板１１ｂのうち短辺方向についての他方（図２に示す下側）の端部は、所定範囲にわたってＣＦ基板１１ａが重なり合うことがなく、表裏両板面が外部に露出した状態とされており、ここに後述するドライバ１２及びフレキシブルリジッド基板１３の実装領域（パネル側入力配線部１８及びパネル側フレキシブル基板用端子部１９の配置領域）が確保されている。なお、両基板１１ａ，１１ｂの内面側には、液晶層１１ｃに含まれる液晶分子を配向させるための配向膜１１ｄ，１１ｅがそれぞれ形成されている。また、両基板１１ａ，１１ｂの外面側には、それぞれ偏光板１１ｆ，１１ｇが貼り付けられている。
【００２９】
続いて、アレイ基板１１ｂ及びＣＦ基板１１ａにおける表示部ＡＡ内に存在する構成について順次に詳しく説明する。アレイ基板１１ｂの内面側（液晶層側、ＣＦ基板１１ａとの対向面側）には、図３及び図４に示すように、スイッチング素子であるＴＦＴ（Thin Film Transistor）１４及び画素電極１５が多数個マトリクス状に並んで設けられるとともに、これらＴＦＴ１４及び画素電極１５の周りには、格子状をなすゲート配線１６及びソース配線１７が取り囲むようにして配設されている。ゲート配線１６及びソース配線１７は、それぞれ金属材料（導電材料）からなり、相互の交差部位間には絶縁層が介在する形で配されている。ゲート配線１６とソース配線１７とがそれぞれＴＦＴ１４のゲート電極とソース電極とに接続され、画素電極１５がＴＦＴ１４のドレイン電極に接続されている。また、画素電極１５は、平面に視て縦長の方形状（矩形状）をなすとともに、ＩＴＯ（Indium Tin Oxide）或いはＺｎＯ（Zinc Oxide）といった透明電極材料からなる。なお、アレイ基板１１ｂには、ゲート配線１６に並行するとともに画素電極１５を横切りつつ絶縁層を介して重畳する容量配線（図示せず）を設けることも可能である。
【００３０】
一方、ＣＦ基板１１ａには、図３及び図５に示すように、Ｒ（赤色），Ｇ（緑色），Ｂ（青色）等の各着色部が、アレイ基板１１ｂ側の各画素電極１５と平面に視て重畳するよう多数個マトリクス状に並列して配置されたカラーフィルタ１１ｈが設けられている。カラーフィルタ１１ｈをなす各着色部間には、混色を防ぐための略格子状の遮光層（ブラックマトリクス）１１ｉが形成されている。遮光層１１ｉは、上記したゲート配線１６及びソース配線１７と平面に視て重畳する配置とされる。カラーフィルタ１１ｈ及び遮光層１１ｉの表面には、アレイ基板１１ｂ側の画素電極１５と対向するベタ状の対向電極１１ｊが設けられている。
【００３１】
ドライバ１２は、図２に示すように、内部に駆動回路を有するＬＳＩチップからなるものとされ、電源であるメイン基板部からフレキシブルリジッド基板１３を介して供給される駆動電力及び基準電位に基づいて作動することで、信号供給源であるメイン基板部からフレキシブルリジッド基板１３を介して供給される画像に係る入力信号を処理して出力信号を生成し、その出力信号を液晶パネル１１の表示部ＡＡへと出力するものとされる。このドライバ１２は、平面に視て横長の方形状をなすとともに、液晶パネル１１のアレイ基板１１ｂにおける非表示部ＮＡＡに対して直接実装され、つまりＣＯＧ（Chip On Glass）実装されている。ドライバ１２は、その長辺方向がＸ軸方向と一致し、短辺方向がＹ軸方向と一致する形で非表示部ＮＡＡに配されている。ドライバ１２は、非表示部ＮＡＡにおいて、その実装領域の延在方向、つまりＸ軸方向に沿って複数（図２では１２個）が直線的にほぼ等間隔でもって間欠的に並んで配されており、液晶パネル１１の長辺方向の両端部付近にまで配置されている。
【００３２】
このドライバ１２が実装されるアレイ基板１１ｂにおける非表示部ＮＡＡには、図２に示すように、ドライバ１２が有するドライバ側入出力端子部（図示せず）に接続されるパネル側ドライバ用入出力端子部（図示せず）が設けられるとともに、パネル側ドライバ用入出力端子部のうちの出力側を表示部ＡＡに接続するためのパネル側出力配線部（図示せず）と、パネル側ドライバ用入出力端子部のうちの入力側をフレキシブルリジッド基板１３に接続するためのパネル側入力配線部１８と、が設けられている。パネル側入力配線部１８は、ドライバ１２とフレキシブルリジッド基板１３との並び方向（Ｙ軸方向、第１方向）に沿って直線的に延在する形で配索されている。また、パネル側入力配線部１８におけるフレキシブルリジッド基板１３側（ドライバ１２側とは反対側）の端部には、図８に示すように、フレキシブルリジッド基板１３に対して接続されるパネル側フレキシブル基板用端子部１９が設けられている。パネル側入力配線部１８及びパネル側フレキシブル基板用端子部１９は、アレイ基板１１ｂの非表示部ＮＡＡのうちフレキシブルリジッド基板１３に接続された長辺側の端部に沿う方向（Ｘ軸方向、第１方向と直交する第２方向）に多数間欠的に並んで配されている。パネル側ドライバ用入出力端子部及びパネル側フレキシブル基板用端子部１９は、ドライバ１２及びフレキシブルリジッド基板１３との接続を図るために外部に露出しているのに対し、パネル側出力配線部及びパネル側入力配線部１８は、その殆どが図示しない絶縁膜により覆われている。
【００３３】
フレキシブルリジッド基板１３は、図２に示すように、液晶パネル１１の非表示部ＮＡＡに対して直接取り付けられることで電気的な接続が図られるとともに、パソコン本体ＮＰＢに備えられるメイン基板部に対して図示しない配線部材を介して電気的に接続されている。フレキシブルリジッド基板１３には、メイン基板部から画像に係る各種信号が供給されるようになっているので、その信号を液晶パネル１１に取り付けられたドライバ１２に供給に供給することが可能とされる。フレキシブルリジッド基板１３は、液晶パネル１１の非表示部ＮＡＡにおけるフレキシブルリジッド基板１３が取り付けられる端部に沿って延在するとともにその長さ寸法が液晶パネル１１の長辺寸法よりもやや短い程度とされる。フレキシブルリジッド基板１３は、その幅方向が液晶パネル１１とフレキシブルリジッド基板１３との並び方向（Ｙ軸方向、第１方向）と一致しているのに対し、長さ方向が液晶パネル１１の板面に沿い且つ液晶パネル１１とフレキシブルリジッド基板１３との並び方向と直交する方向（Ｘ軸方向、第２方向）と一致していると言える。
【００３４】
フレキシブルリジッド基板１３は、図６及び図７に示すように、柔軟性に富んだフレキシブル材２０と、柔軟性を殆ど有さない硬質な一対のリジッド材２１とを有してなるものとされ、フレキシブル材２０の一部を一対のリジッド材２１により挟み込んだ構成とされている。フレキシブル材２０は、絶縁性を有する合成樹脂材料（例えばポリイミド系樹脂等）からなるフィルム状で可撓性を有する基材を備え、その基材上に配索形成された多数本のフレキシブル側配線部２０ａからなるフレキシブル側配線パターンを有している。フレキシブル側配線部２０ａにおける液晶パネル１１側（リジッド材２１側とは反対側）の端部には、図８に示すように、液晶パネル１１に対して接続されるフレキシブル側端子部２０ｂが設けられている。フレキシブル側端子部２０ｂは、液晶パネル１１との接続を図るために外部に露出しているのに対し、フレキシブル側配線部２０ａは、その殆どが図示しない絶縁膜により覆われている。このフレキシブル材２０は、フィルム状の基材からなるものであるから、リジッド材２１に比べると、柔軟性に富んだ性質を有しており、容易に撓み変形や屈曲変形させることが可能とされる。
【００３５】
リジッド材２１は、図６及び図７に示すように、紙フェノールまたはガラスエポキシ樹脂などからなる所定の板厚を有するリジッドな基板上に、ドライバ１２に駆動電力及び基準電位を供給する電源部品や液晶パネル１１への画像に係る入力信号の伝送を制御する電子部品（回路部品）が実装されるとともに、多数本のリジッド側配線部からなるリジッド側配線パターン（共に図示せず）を有している。リジッド材２１には、図示しないビアホールが多数貫通形成されており、このビアホールを通して自身が有するリジッド側配線パターンがフレキシブル材２０のフレキシブル側配線パターン（詳しくは、フレキシブル側配線部２０ａにおけるフレキシブル側端子部２０ｂ側とは反対側の端部）に対して電気的に接続されている。リジッド材２１は、フレキシブル材２０よりも厚さが大きな板状をなしているから、フレキシブル材２０に比べると、柔軟性を殆ど有さない硬質な性質を有しており、撓み変形や屈曲変形させることが困難なものとされる。
【００３６】
フレキシブルリジッド基板１３は、図２，図６及び図７に示すように、一対のリジッド材２１とそれらに挟み込まれたフレキシブル材２０の一部とにより構成されて積層構造を有するリジッド基板部２２と、フレキシブル材２０のうち一対のリジッド材２１により挟み込まれない残りの部分により構成されるフレキシブル基板部２３とからなるものとされる。つまり、リジッド基板部２２は、一対のリジッド材２１と、フレキシブル材２０のうちリジッド材２１と平面に視て重畳する部分とを有してなるのに対し、フレキシブル基板部２３は、フレキシブル材２０のうちリジッド材２１と平面に視て非重畳とされる部分のみにより構成されている。このうち、フレキシブル基板部２３は、Ｙ軸方向についての一端側（図２に示す上側）が液晶パネル１１の非表示部ＮＡＡに取り付けられるのに対し、他端側（図２及び図６に示す下側）がリジッド基板部２２に接続されている。フレキシブル基板部２３及びリジッド基板部２２は、相互を跨ぐ形で配されるフレキシブル材２０が有するフレキシブル側配線パターン（フレキシブル側配線部２０ａ）により電気的に接続されている。リジッド基板部２２は、いずれか一方のリジッド材２１に図示しないコネクタ部が設けられており、このコネクタ部が配線部材（図示せず）に接続されることで、パソコン本体ＮＰＢのメイン基板部に対して電気的に接続されている。フレキシブル基板部２３が有するフレキシブル側端子部２０ｂは、液晶パネル１１が有するパネル側フレキシブル基板用端子部１９に対して図示しないＡＣＦ（Anisotropic Conductive Film）を介して電気的に且つ機械的に接続される（図８を参照）。なお、フレキシブルリジッド基板１３のうち、リジッドなリジッド基板部２２が「信号供給基板」として機能するのに対し、フレキシブルなフレキシブル基板部２３が「フレキシブル基板」として機能していることになる。
【００３７】
上記した構成の液晶パネル１１及びフレキシブルリジッド基板１３に対して、パソコン本体ＮＰＢと液晶表示装置１０との接合箇所に設けられる一対のヒンジ部ＨＩは、次のような位置に配されている。すなわち、一対のヒンジ部ＨＩは、図２に示すように、液晶パネル１１におけるフレキシブルリジッド基板１３が取り付けられた端部の両角部に対してＹ軸方向について外側（図２に示す下側）に配されるとともに、フレキシブルリジッド基板１３における長さ方向の両端部に対してＸ軸方向について外側（図２に示す右側または左側）に配されている。なお、図２ではヒンジ部ＨＩを二点鎖線により図示している。
【００３８】
ところで、液晶パネル１１が高精細化（高解像度化）されると、表示部ＡＡにおける各配線１６，１７の本数が増加するため、それに伴ってドライバ１２の設置数が増加するとともにドライバ１２をフレキシブルリジッド基板１３に接続するためのパネル側入力配線部１８の本数も増加することになる。このため、ドライバ１２は、図２に示すように、液晶パネル１１の非表示部ＮＡＡのうちＸ軸方向の両端部付近にも配置されることになり、この両端のドライバ１２から引き出されるパネル側入力配線部１８に対する接続を図るためにフレキシブルリジッド基板１３の長さ寸法がＸ軸方向について長大化する傾向となる。これに対し、ヒンジ部ＨＩは、フレキシブルリジッド基板１３をＸ軸方向について両外側から挟み込む位置に配されているため、長大化するフレキシブルリジッド基板１３との干渉が問題となる。ここで、ヒンジ部ＨＩへの干渉を回避するための構成の一例として図２２に示される参考例を挙げて説明する。ヒンジ部ＨＩへの干渉を回避するには、例えば、図２２に示すように、液晶パネル１の非表示部ＮＡＡに形成されたパネル側入力配線部２を、ドライバ３からフレキシブルリジッド基板４に向けてＸ軸方向について端側から中央側に集約するよう配索し、それに併せてフレキシブルリジッド基板４の長さ寸法を小さくすることが考えられる。ところが、そうすると、液晶パネル１の非表示部ＮＡＡにおいてパネル側入力配線部２の引き回しのために必要な設置スペースＬがＹ軸方向（液晶パネル１とフレキシブルリジッド基板４との並び方向）について広くなるため、それに伴って非表示部ＮＡＡの範囲がＹ軸方向について拡張されることになる。このため、液晶表示装置の額縁部分が広くなってしまい、狭額縁化を図ることができなくなってしまう。つまり、高精細化と狭額縁化の両立は困難であった。
【００３９】
そこで、本実施形態では、フレキシブルリジッド基板１３は、図２及び図６に示すように、フレキシブル基板部２３におけるＸ軸方向（第２方向）についての寸法の方がリジッド基板部２２の同寸法よりも相対的に大きなものとされるとともに、フレキシブル基板部２３のうちリジッド基板部２２に対してＸ軸方向について外側に配される部分（第１端側部分）２４ａを少なくとも含むフレキシブル端側部分（端側部分）２４のＹ軸方向（第１方向）についての寸法の方が、フレキシブル端側部分２４に対してＸ軸方向について中央側に配されるフレキシブル中央側部分（中央側部分）２５の同寸法よりも相対的に大きなものとされている。このように、フレキシブル基板部２３におけるＸ軸方向についての寸法（長さ寸法）の方がリジッド基板部２２の同寸法よりも相対的に大きなものとされることで、仮にこれらの寸法を同じとした場合に比べると、液晶パネル１１に対するフレキシブル基板部２３のＸ軸方向についての取付範囲が拡張され、それにより液晶パネル１１の高精細化に伴うフレキシブル側配線部２０ａの本数の増加に容易に対応することが可能となる。これに対し、リジッド基板部２２におけるＸ軸方向についての寸法の方がフレキシブル基板部２３の同寸法よりも相対的に小さなものとされることで、Ｘ軸方向についての外側に配されるヒンジ部ＨＩに対して干渉が生じ難くなる。詳しくは、フレキシブル基板部２３におけるＸ軸方向についての寸法、つまり長さ寸法は、液晶パネル１１の長辺寸法よりもやや短い程度で且つ液晶パネル１１におけるドライバ１２の実装領域の長さ寸法とほぼ同じ程度とされるのに対し、リジッド基板部２２における長さ寸法は、フレキシブル基板部２３の同寸法よりも短く且つ液晶パネル１１におけるドライバ１２の実装領域の長さ寸法よりも短いものとされている。フレキシブル基板部２３とリジッド基板部２２とにおける長さ寸法の差は、一対のヒンジ部ＨＩの配置領域の長さ寸法と同じ程度かそれよりもやや小さい程度とされる。
【００４０】
しかも、フレキシブル基板部２３のうちリジッド基板部２２に対してＸ軸方向について外側に配される部分２４ａを少なくとも含むフレキシブル端側部分２４のＹ軸方向についての寸法（幅寸法）の方が、フレキシブル端側部分２４に対してＸ軸方向について中央側に配されるフレキシブル中央側部分２５の同寸法よりも相対的に大きなものとされているので、その相対的に幅広なフレキシブル端側部分２４をフレキシブル側配線部２０ａの引き回し領域として利用することで、液晶表示装置１０の狭額縁化を図ることが可能とされる。詳しく説明すると、まず前提として、フレキシブル基板部２３におけるＸ軸方向についての寸法（長さ寸法）がリジッド基板部２２の同寸法よりも相対的に大きなものとされているので、フレキシブル基板部２３におけるフレキシブル側配線部２０ａの配線パターンを設計するに際しては、Ｙ軸方向についてフレキシブル側端子部２０ｂからリジッド基板部２２に向けて、Ｘ軸方向について端側から中央側にフレキシブル側配線部２０ａを集約するよう引き回す必要がある。このとき、フレキシブル基板部２３のフレキシブル端側部分２４におけるＹ軸方向についての寸法が、フレキシブル中央側部分２５の同寸法よりも相対的に大きなものとされているので、このフレキシブル端側部分２４にフレキシブル側配線部２０ａを中央側に向けて集約するための引き回し領域が十分に確保される。従って、仮にフレキシブル基板部のフレキシブル端側部分とフレキシブル中央側部分とにおけるＹ軸方向についての寸法を同じとした場合には、液晶パネル１１においてパネル側入力配線部１８をＸ軸方向について端側から中央側に引き回すための引き回し領域を確保する必要が生じるのに比べると、液晶パネル１１の非表示部ＮＡＡの幅、つまり液晶表示装置１０の額縁部分を狭くすることが可能とされるのである。以上により、液晶パネル１１の高精細化及び液晶表示装置１０の狭額縁化を両立することが可能となる。また、フレキシブル基板部２３におけるフレキシブル端側部分２４に形成されたフレキシブル側配線部２０ａには、Ｘ軸方向について端側から中央側に集約するよう途中に屈曲部２０ａ１を有するものが含まれている。
【００４１】
本実施形態では、フレキシブル基板部２３のフレキシブル端側部分２４には、図６に示すように、リジッド基板部２２に対してＸ軸方向について外側に配される部分である第１端側部分２４ａに加えてそれに対して中央側に隣り合う部分である第２端側部分２４ｂが含まれている。言い換えると、フレキシブル基板部２３のうち、リジッド基板部２２とはＸ軸方向について重なり合わない（オーバーラップしない）部分からなる第１端側部分２４ａと、リジッド基板部２２とＸ軸方向について重なり合う（オーバーラップする）部分のうちのＸ軸方向についての端部からなる第２端側部分２４ｂとによって、Ｙ軸方向についての寸法が相対的に大きなフレキシブル端側部分２４が構成されている。このフレキシブル基板部２３のフレキシブル端側部分２４は、液晶パネル１１においてＸ軸方向について端寄りに配された２つのドライバ１２とＸ軸方向について重なり合う配置とされるとともに、これら２つのドライバ１２に接続されるパネル側入力配線部１８に連なるパネル側フレキシブル基板用端子部１９に対して接続されるフレキシブル側端子部２０ｂ及びフレキシブル側配線部２０ａを有している（図８を参照）。そして、フレキシブル基板部２３のフレキシブル端側部分２４のうちの端寄りの第１端側部分２４ａは、リジッド基板部２２には直接接続されないのに対し、中央寄りの第２端側部分２４ｂは、リジッド基板部２２に直接接続されるとともに第１端側部分２４ａに形成されたフレキシブル側端子部２０ｂに接続されたフレキシブル側配線部２０ａが引き回されている。このような構成により、フレキシブル基板部２３のフレキシブル端側部分２４におけるフレキシブル側配線部２０ａの引き回し領域がＸ軸方向についてより拡張されるから、さらなる液晶パネル１１の高精細化及び液晶表示装置１０の狭額縁化を図る上でより好適となる。
【００４２】
さらには、フレキシブル基板部２３のフレキシブル端側部分２４においてフレキシブル側配線部２０ａからなる配線パターンが形成される配線領域は、図６に示すように、Ｙ軸方向についての寸法がフレキシブル端側部分２４の全域にわたってほぼ一定とされている。すなわち、フレキシブル基板部２３のフレキシブル端側部分２４は、Ｘ軸方向について端側から中央側に向けてほぼ一定幅とされていて途中にスリットなどを有していないので、そこに確保された配線領域もＸ軸方向について端側から中央側に向けて途中に局所的に狭くなるような狭窄部位を有しておらず、全域にわたってほぼ一定幅となっている。これにより、配線領域に形成される配線パターンの配置密度が液晶パネル１１の高精細化に伴って高くなった場合でも、その高密度の配線パターンをフレキシブル端側部分２４に容易に形成することができ、もって液晶パネル１１の高精細化に一層好適となる。
【００４３】
それに加えて、リジッド基板部２２は、図６に示すように、フレキシブル基板部２３のフレキシブル端側部分２４に接続されるリジッド端側部分（信号供給側端側部分）２６の方が、フレキシブル基板部２３のフレキシブル中央側部分２５に接続されるリジッド中央側部分（信号供給側中央側部分）２７よりもＹ軸方向（第１方向）についての寸法が相対的に小さなものとされている。しかも、リジッド端側部分２６とリジッド中央側部分２７とにおけるＹ軸方向についての寸法の差は、フレキシブル端側部分２４とフレキシブル中央側部分２５とにおけるＹ軸方向についての寸法の差とほぼ等しいものとされている。これに伴い、リジッド端側部分２６及びリジッド中央側部分２７は、フレキシブル基板部２３側とは反対側（図２及び図６に示す下側）の端部が互いに面一状をなしているので、リジッド基板部２２におけるフレキシブル基板部２３側とは反対側の端部に段差が生じることが避けられており、もってヒンジ部ＨＩを含めた他の部材との干渉がより生じ難くなる。なお、リジッド端側部分２６及びリジッド中央側部分２７は、フレキシブル基板部２３側（図２及び図６に示す上側）の端部が段差状をなしており、リジッド端側部分２６がリジッド中央側部分２７よりもリジッド基板部２２側（液晶パネル１１側とは反対側）に引っ込んでいる。さらには、フレキシブル端側部分２４及びフレキシブル中央側部分２５は、液晶パネル１１側（リジッド基板部２２側とは反対側）の端部が互いに面一状をなしていて、Ｙ軸方向についての液晶パネル１１に対する取付位置が同一とされる。これにより、フレキシブル基板部２３を液晶パネル１１に対して取り付ける作業を行うに際して自動機を用いることが可能とされ、もってフレキシブル基板部２３の取付作業を効率的に容易に行うことが可能となる。なお、フレキシブル端側部分２４及びフレキシブル中央側部分２５におけるリジッド基板部２２側の端部は、段差状をなしており、フレキシブル端側部分２４がフレキシブル中央側部分２５よりもリジッド基板部２２側に引っ込んでいる。
【００４４】
以上説明したように本実施形態の液晶表示装置（表示装置）１０は、画像を表示可能な表示部ＡＡ及び表示部ＡＡ外の非表示部ＮＡＡを有する液晶パネル（表示パネル）１１と、外部の信号供給源に接続されるリジッド基板部（信号供給基板）２２と、可撓性を有しており、一端側が液晶パネル１１の非表示部ＮＡＡに取り付けられるのに対し、他端側がリジッド基板部２２に接続されることでリジッド基板部２２からの信号の供給を中継するフレキシブル基板部（フレキシブル基板）２３であって、液晶パネル１１とフレキシブル基板部２３との並び方向を第１方向（Ｙ軸方向）とし、液晶パネル１１の板面に沿い且つ第１方向と直交する方向を第２方向（Ｘ軸方向）としたとき、第２方向についての寸法がリジッド基板部２２よりも相対的に大きなものとされるとともに、リジッド基板部２２に対して第２方向について外側に配される部分である第１端側部分２４ａを少なくとも含むフレキシブル端側部分（端側部分）２４の方が、フレキシブル端側部分２４に対して第２方向について中央側に配されるフレキシブル中央側部分（中央側部分）２５よりも第１方向についての寸法が相対的に大きなものとされるフレキシブル基板部２３と、を備える。
【００４５】
このようにすれば、外部の信号供給源に接続されたリジッド基板部２２からの信号は、一端側が液晶パネル１１の非表示部ＮＡＡに取り付けられるのに対し、他端側がリジッド基板部２２に接続されるフレキシブル基板部２３により中継されて液晶パネル１１へと供給される。フレキシブル基板部２３は、液晶パネル１１とフレキシブル基板部２３との並び方向を第１方向とし、液晶パネル１１の板面に沿い且つ第１方向と直交する方向を第２方向としたとき、第２方向についての寸法がリジッド基板部２２よりも相対的に大きなものとされるから、仮に上記寸法をリジッド基板部２２と同じにした場合に比べると、液晶パネル１１に対する取付範囲が拡張されることになる。従って、液晶パネル１１が高精細化（高解像度化）されるのに伴って液晶パネル１１上の配線数が増加された場合に好適となる。これに対し、リジッド基板部２２は、フレキシブル基板部２３よりも第２方向についての寸法が相対的に小さくなっているから、第２方向についての外側に他の部材を配した場合に他の部材が干渉し難くなる。
【００４６】
しかも、フレキシブル基板部２３は、リジッド基板部２２に対して第２方向について外側に配される部分である第１端側部分２４ａを少なくとも含むフレキシブル端側部分２４の方が、フレキシブル端側部分２４に対して第２方向について中央側に配されるフレキシブル中央側部分２５よりも第１方向についての寸法が相対的に大きなものとされるから、フレキシブル端側部分２４を配線パターンの引き回し領域として利用することで、当該液晶表示装置１０の狭額縁化を図ることが可能とされており、以下にその理由を詳しく説明する。すなわち、まず、フレキシブル基板部２３は、第２方向についての寸法がリジッド基板部２２よりも相対的に大きなものとされているので、フレキシブル基板部２３の配線パターンを設計するに際しては、第２方向について端側から中央側に配線パターンを集約するよう引き回す必要がある。このとき、フレキシブル基板部２３のフレキシブル端側部分２４は、フレキシブル中央側部分２５よりも第１方向についての寸法が相対的に大きなものとされているので、このフレキシブル端側部分２４に配線パターンを中央側に向けて集約するための引き回し領域が十分に確保される。従って、仮にフレキシブル基板部のフレキシブル端側部分とフレキシブル中央側部分とにおける第１方向についての寸法を同じとした場合に、液晶パネル１１側に配線パターンの引き回し領域を確保する必要が生じるのに比べると、液晶パネル１１の非表示部ＮＡＡの幅、つまり当該液晶表示装置１０の額縁部分を狭くすることが可能とされるのである。以上により、液晶パネル１１の高精細化及び当該液晶表示装置１０の狭額縁化を両立することが可能となる。
【００４７】
また、フレキシブル基板部２３のフレキシブル端側部分２４には、リジッド基板部２２に対して第２方向について外側に配される部分である第１端側部分２４ａに加えてそれに隣り合う部分である第２端側部分２４ｂが含まれている。フレキシブル基板部２３のフレキシブル端側部分２４を配線パターンの引き回し領域として利用したとき、配線パターンの引き回し領域が第２方向についてより広くなるから、さらなる高精細化及び狭額縁化に好適となる。
【００４８】
また、フレキシブル基板部２３は、フレキシブル端側部分２４のうちリジッド基板部２２に対して第２方向について外側に配される部分である第１端側部分２４ａに隣り合う部分である第２端側部分２４ｂがリジッド基板部２２に対して接続されるとともに、リジッド基板部２２に対して第２方向について外側に配される部分である第１端側部分２４ａにおける第１方向についての寸法が第２方向について端側から中央側に向けて一定とされるよう形成されている。フレキシブル基板部２３は、液晶パネル１１が高精細化されるのに伴って配線パターンの配置密度が高くなる傾向とされる。上記したようにリジッド基板部２２に対して第２方向について外側に配される部分である第１端側部分２４ａにおける第１方向についての寸法が第２方向について端側から中央側に向けて一定とされるよう形成されているので、仮にフレキシブル基板部のうちリジッド基板部に対して第２方向について外側に配される部分である第１端側部分の途中にスリットを設けるなどして第１方向についての寸法が第２方向について端側から中央側に向かう途中で局所的に小さくなる場合に比べると、配線パターンを高密度化する上で好適とされる。従って、液晶パネル１１の高精細化に一層好適となる。
【００４９】
また、リジッド基板部２２は、フレキシブル基板部２３のフレキシブル端側部分２４に接続されるリジッド端側部分（端側部分）２６の方が、フレキシブル基板部２３のフレキシブル中央側部分２５に接続されるリジッド中央側部分（中央側部分）２７よりも第１方向についての寸法が相対的に小さなものとされる。このようにすれば、仮にリジッド基板部におけるリジッド端側部分とリジッド中央側部分とで第１方向についての寸法を同一とし且つ液晶パネル１１に対するフレキシブル基板部の取付位置をそのフレキシブル端側部分とフレキシブル中央側部分とで第１方向についてずらす構成とした場合に比べると、少なくとも液晶パネル１１に対するフレキシブル基板部２３のフレキシブル端側部分２４及びフレキシブル中央側部分２５の取付位置を第１方向についてより近くすることができる。また、仮にリジッド基板部におけるリジッド端側部分とリジッド中央側部分とで第１方向についての寸法を同一とし且つリジッド基板部におけるフレキシブル基板部側とは反対側の端部に段差が有される構成とした場合に比べると、リジッド基板部２２に生じ得る段差を緩和することができる。
【００５０】
また、リジッド基板部２２におけるリジッド端側部分２６及びリジッド中央側部分２７は、フレキシブル基板部２３側とは反対側の端部が互いに面一状をなしている。このようにすれば、リジッド基板部２２におけるフレキシブル基板部２３側とは反対側の端部に段差が生じることが避けられるので、他の部材との干渉がより生じ難くなる。
【００５１】
また、フレキシブル基板部２３におけるフレキシブル端側部分２４及びフレキシブル中央側部分２５は、第１方向についての液晶パネル１１に対する取付位置が同一とされる。このようにすれば、フレキシブル基板部２３を液晶パネル１１に対して取り付ける作業を行うに際して自動機を用いることが可能とされる。これにより、フレキシブル基板部２３の取付作業を効率的に容易に行うことが可能となる。
【００５２】
また、リジッド基板部２２とフレキシブル基板部２３とが一体化されてなるフレキシブルリジッド基板１３を備えており、フレキシブルリジッド基板１３は、可撓性を有するフレキシブル材２０の一部を相対的に硬質な一対のリジッド材２１により挟み込んだ構成とされるとともに、一対のリジッド材２１とそれらに挟み込まれたフレキシブル材２０の一部とにより構成されるリジッド基板部２２と、フレキシブル材２０の残りの部分により構成されるフレキシブル基板部２３とからなるものとされており、フレキシブル基板部２３は、第２方向についての寸法がリジッド基板部２２よりも相対的に大きなものとされるとともに、リジッド基板部２２に対して第２方向について外側に配される部分である第１端側部分２４ａを少なくとも含むフレキシブル端側部分２４の方が、フレキシブル端側部分２４に対して第２方向について中央側に配されるフレキシブル中央側部分２５よりも第１方向についての寸法が相対的に大きなものとされる。このようにすれば、リジッド基板部２２とフレキシブル基板部２３とが一体化してなるフレキシブルリジッド基板１３が備えられることで、仮にリジッド基板部とフレキシブル基板部とを別部品として相互を熱圧着などにより機械的に取り付けるようにした場合に比べると、取り付け不良が生じ難くなるとともに配線抵抗が低くなるなどの効果を得ることができる。その上で、フレキシブル基板部２３は、第２方向についての寸法がリジッド基板部２２よりも相対的に大きなものとされるから、仮に上記寸法をリジッド基板部２２と同じにした場合に比べると、液晶パネル１１に対する取付範囲が拡張され、もって液晶パネル１１の高精細化に好適となる。これに対し、リジッド基板部２２は、フレキシブル基板部２３よりも第２方向についての寸法が相対的に小さくなっているので、第２方向についての外側に他の部材を配した場合に他の部材が干渉し難くなる。しかも、フレキシブル基板部２３は、リジッド基板部２２に対して第２方向について外側に配される部分である第１端側部分２４ａを少なくとも含むフレキシブル端側部分２４の方が、フレキシブル端側部分２４に対して第２方向について中央側に配されるフレキシブル中央側部分２５よりも第１方向についての寸法が相対的に大きなものとされるから、フレキシブル端側部分２４を配線パターンの引き回し領域として利用することで、当該液晶表示装置１０の狭額縁化を図ることが可能とされる。
【００５３】
また、液晶パネル１１の非表示部ＮＡＡにおいて表示部ＡＡとフレキシブル基板部２３との間に位置する形で設けられ、リジッド基板部２２及びフレキシブル基板部２３を介して供給される信号を表示部ＡＡに伝送するパネル側入力配線部（信号伝送配線）１８を備えている。このようにすれば、フレキシブル基板部２３の配線パターンを設計するに際して、フレキシブル基板部２３のフレキシブル端側部分２４において配線パターンが端側から中央側に向けて集約するよう引き回す構成を採れば、液晶パネル１１の非表示部ＮＡＡに設けるパネル側入力配線部１８を設けるに際してそのパネル側入力配線部１８を端側から中央側に向けて集約する必要性が低くなる。従って、液晶パネル１１の非表示部ＮＡＡに信号配線を設けるためのスペースをそれほど広く確保する必要がなくなり、もって液晶パネル１１の高精細化及び当該液晶表示装置１０の狭額縁化を好適に両立させることが可能とされる。
【００５４】
また、表示パネルは、一対の基板１１ａ，１１ｂ間に液晶層１１ｃを封入してなる液晶パネル１１とされる。このような表示装置は液晶表示装置１０として、種々の用途、例えば携帯型情報端末（ノート型パソコンなど）、携帯電話、携帯型ゲーム機などの各種電子機器に適用できる。
【００５５】
＜実施形態２＞
本発明の実施形態２を図９から図１１によって説明する。この実施形態２では、フレキシブル基板部１２３を分割構造としたものを示す。なお、上記した実施形態１と同様の構造、作用及び効果について重複する説明は省略する。
【００５６】
本実施形態に係るフレキシブルリジッド基板１１３を構成するフレキシブル材１２０は、図９に示すように、Ｘ軸方向について複数（図９では６つ）に分割されており、それによりフレキシブル基板部１２３は、フレキシブル端側部分１２４を構成する端側分割フレキシブル基板部（端側分割フレキシブル基板）２８と、フレキシブル中央側部分１２５を構成する中央側分割フレキシブル基板部（中央側分割フレキシブル基板）２９とを有してなるものとされる。さらには、中央側分割フレキシブル基板部２９は、複数（図９では４つ）に分割されており、複数の中央側分割フレキシブル基板部個片（中央側分割フレキシブル基板個片）３０からなるものとされる。端側分割フレキシブル基板部２８は、フレキシブル基板部１２３において両端に一対配されるのに対し、中央側分割フレキシブル基板部２９は、Ｘ軸方向について一対の端側分割フレキシブル基板部２８の間に挟み込まれる位置に配されている。中央側分割フレキシブル基板部２９を構成する中央側分割フレキシブル基板部個片３０は、４つがＸ軸方向に沿って等間隔に間欠的に並んで配されている。
【００５７】
フレキシブル基板部１２３を構成する端側分割フレキシブル基板部２８と中央側分割フレキシブル基板部２９との境界位置は、図１０に示すように、リジッド基板部１２２におけるリジッド端側部分１２６とリジッド中央側部分１２７との境界位置と一致するよう構成されている。従って、端側分割フレキシブル基板部２８は、リジッド端側部分１２６に接続されるのに対し、中央側分割フレキシブル基板部２９は、リジッド中央側部分１２７に接続されている。さらには、端側分割フレキシブル基板部２８は、図９に示すように、液晶パネル１１１に実装されたドライバ１１２群のうち、Ｘ軸方向について端寄りの２つの端側用ドライバ３１に接続されているのに対し、中央側分割フレキシブル基板部２９は、ドライバ１１２群のうち、端側用ドライバ３１よりも中央寄りに配された８つの中央側用ドライバ３２に接続されている。また、中央側分割フレキシブル基板部２９を構成する４つの中央側分割フレキシブル基板部個片３０は、８つの中央側用ドライバ３２のうちの２つずつに対してそれぞれ個別に接続されている。
【００５８】
続いて、上記した各構成に基づいて得られる作用及び効果について説明する。まず、端側分割フレキシブル基板部２８及び中央側分割フレキシブル基板部２９は、熱環境の変化によって熱膨張または熱収縮した場合、それぞれが個別に伸縮し、その伸縮量は各分割フレキシブル基板部２８，２９の大きさに基づいたものとなる。各分割フレキシブル基板部２８，２９における熱膨張または熱収縮に伴う個々の伸縮量は、上記した実施形態１に記載したようにフレキシブル基板部２３を非分割とした場合における伸縮量に比べて相対的に小さなものとなる。従って、フレキシブルリジッド基板１１３を液晶パネル１１１に取り付けるに際して、例えば、フレキシブル基板部１２３をなす各分割フレキシブル基板部２８，２９を個別に図示しないアライメントマークなど（位置決め部位）を用いてＸ軸方向について液晶パネル１１１に対して位置決めを図りつつ、図１１に示すように、フレキシブル基板部１２３を液晶パネル１１１に対して熱圧着すれば、熱圧着に伴って生じる各分割フレキシブル基板部２８，２９の熱膨張または熱収縮に起因する伸縮量が小さなものとなり、液晶パネル１１１に対する取付位置が適切なものとなる。これにより、各分割フレキシブル基板部２８，２９が有する多数のフレキシブル側端子部１２０ｂを、液晶パネル１１１が有する多数のパネル側フレキシブル基板用端子部１１９に対して正確な接続を期することができ、接続不良の発生が抑制される。ここで、中央側分割フレキシブル基板部２９は、複数の中央側分割フレキシブル基板部個片３０に分割されているから、各中央側分割フレキシブル基板部個片３０において熱圧着時に生じる熱膨張または熱収縮に伴う伸縮量がさらに小さなものとなり、もって各中央側分割フレキシブル基板部個片３０を液晶パネル１１１に対してより適切な位置に取り付けることが可能とされる。しかも、フレキシブル基板部１２３は、フレキシブル端側部分１２４とフレキシブル中央側部分１２５とが少なくとも分割されており、これらフレキシブル端側部分１２４及びフレキシブル中央側部分１２５はＹ軸方向についての大きさが互いに異なるものとされていることから、端側分割フレキシブル基板部２８及び中央側分割フレキシブル基板部２９におけるＹ軸方向についての大きさは、互いに異なるもののそれぞれほぼ一定となる。従って、各分割フレキシブル基板部２８，２９に係る製造コストが抑制される。
【００５９】
また、フレキシブル基板部１２３のうちＹ軸方向について相対的に大きな端側分割フレキシブル基板部２８は、リジッド基板部１２２のうちＹ軸方向について相対的に小さなリジッド端側部分１２６に接続されるのに対し、フレキシブル基板部１２３のうちＹ軸方向について相対的に小さな中央側分割フレキシブル基板部２９は、リジッド基板部１２２のうちＹ軸方向について相対的に大きなリジッド中央側部分１２７に接続されるので、各分割フレキシブル基板部２８，２９が、端側分割フレキシブル基板部２８におけるリジッド端側部分１２６とリジッド中央側部分１２７とに跨る形で接続されることが避けられる。また、端側分割フレキシブル基板部２８からの信号は、接続された端側用ドライバ３１により処理されるのに対し、中央側分割フレキシブル基板部２９からの信号は、接続された中央側ドライバ３２により処理されることになる。このように端側分割フレキシブル基板部２８と中央側分割フレキシブル基板部２９とで接続対象となるドライバ１１２が端側用ドライバ３１と中央側用ドライバ３２とに分けられているから、各分割フレキシブル基板部２８，２９と各ドライバ３１，３２とを接続するための配線パターンをなすパネル側入力配線部１１８を非表示部ＮＡＡに設けるに際してそのパネル側入力配線部１１８を効率良く配置することが可能となる。これにより、高精細化及び狭額縁化により好適となる。
【００６０】
以上説明したように本実施形態によれば、フレキシブル基板部１２３は、フレキシブル端側部分１２４とフレキシブル中央側部分１２５とが少なくとも分割されていて、フレキシブル端側部分１２４からなる端側分割フレキシブル基板部（端側分割フレキシブル基板）２８と、フレキシブル中央側部分１２５からなる中央側分割フレキシブル基板部（中央側分割フレキシブル基板）２９とを少なくとも有してなる。このようにすれば、端側分割フレキシブル基板部２８及び中央側分割フレキシブル基板部２９は、熱環境の変化によって熱膨張または熱収縮した場合、それぞれが個別に伸縮し、その伸縮量は各分割フレキシブル基板部２８，２９の大きさに基づいたものとなる。各分割フレキシブル基板部２８，２９における熱膨張または熱収縮に伴う伸縮量は、仮にフレキシブル基板部を非分割とした場合における伸縮量に比べて相対的に小さなものとなる。従って、例えばフレキシブル基板部１２３を液晶パネル１１１に対して熱圧着する場合、熱圧着に伴って生じる各分割フレキシブル基板部２８，２９の熱膨張または熱収縮に起因する伸縮量が小さなものとなるので、液晶パネル１１１に対する取付位置が適切なものとなる。しかも、フレキシブル基板部１２３は、フレキシブル端側部分１２４とフレキシブル中央側部分１２５とが少なくとも分割されており、これらフレキシブル端側部分１２４及びフレキシブル中央側部分１２５は第１方向についての大きさが互いに異なるものとされていることから、端側分割フレキシブル基板部２８及び中央側分割フレキシブル基板部２９における第１方向についての大きさは、互いに異なるもののそれぞれほぼ一定となる。従って、各分割フレキシブル基板部２８，２９に係る製造コストが抑制される。
【００６１】
また、中央側分割フレキシブル基板部２９は、複数に分割されていて、複数の中央側分割フレキシブル基板部個片（中央側分割フレキシブル基板個片）３０からなる。このようにすれば、熱膨張または熱収縮時における中央側分割フレキシブル基板部２９を構成する各中央側分割フレキシブル基板部個片３０の伸縮量は、仮に中央側分割フレキシブル基板部を非分割とした場合における伸縮量に比べて相対的に小さなものとなる。従って、例えばフレキシブル基板部１２３を液晶パネル１１１に対して熱圧着する場合に各中央側分割フレキシブル基板部個片３０に生じる伸縮量がより小さなものとなって液晶パネル１１１に対する取付位置がより適切なものとなる。
【００６２】
また、リジッド基板部１２２は、フレキシブル基板部１２３のフレキシブル端側部分１２４に接続されるリジッド端側部分１２６の方が、フレキシブル基板部１２３のフレキシブル中央側部分１２５に接続されるリジッド中央側部分１２７よりも第１方向についての寸法が相対的に小さなものとされており、フレキシブル基板部１２３は、端側分割フレキシブル基板部２８がリジッド基板部１２２のリジッド端側部分１２６に接続されるのに対し、中央側分割フレキシブル基板部２９がリジッド基板部１２２のリジッド中央側部分１２７に接続されるよう構成されている。このようにすれば、フレキシブル基板部１２３のうち第１方向について相対的に大きな端側分割フレキシブル基板部２８は、リジッド基板部１２２のうち第１方向について相対的に小さなリジッド端側部分１２６に接続されるのに対し、フレキシブル基板部１２３のうち第１方向について相対的に小さな中央側分割フレキシブル基板部２９は、リジッド基板部１２２のうち第１方向について相対的に大きなリジッド中央側部分１２７に接続される。これにより、各分割フレキシブル基板部２８，２９が、リジッド基板部１２２におけるリジッド端側部分１２６とリジッド中央側部分１２７とに跨る形で接続されることが避けられる。
【００６３】
また、液晶パネル１１１の非表示部ＮＡＡにおいて表示部ＡＡとフレキシブル基板部１２３との間に位置する形で取り付けられ、リジッド基板部１２２及びフレキシブル基板部１２３を介して供給される信号を処理して生成した出力信号を表示部ＡＡに出力することで液晶パネル１１１を駆動するドライバ（駆動回路部）１１２を備えており、ドライバ１１２は、非表示部ＮＡＡにおいて第２方向に沿って複数並んで配されるとともに、端側分割フレキシブル基板部２８に接続される端側用ドライバ（端側用駆動回路部）３１と、中央側分割フレキシブル基板部２９に接続される中央側用ドライバ（中央側用駆動回路部）３２とを少なくとも有してなる。このようにすれば、液晶パネル１１１の非表示部ＮＡＡに取り付けられたドライバ１１２は、リジッド基板部１２２及びフレキシブル基板部１２３を介して供給される信号を処理して出力信号を生成し、その出力信号を表示部ＡＡに出力することで液晶パネル１１１を駆動するものとされる。このとき、端側分割フレキシブル基板部２８からの信号は、ドライバ１１２をなす端側用ドライバ３１により処理されるのに対し、中央側分割フレキシブル基板部２９からの信号は、ドライバ１１２をなす中央側用ドライバ３２により処理される。このように端側分割フレキシブル基板部２８と中央側分割フレキシブル基板部２９とで接続対象となるドライバ１１２が端側用ドライバ３１と中央側用ドライバ３２とに分けられているから、例えば各分割フレキシブル基板部２８，２９と各ドライバ３１，３２とを接続するための配線パターンを非表示部ＮＡＡに設ける場合にその配線パターンを効率良く配置することが可能となる。これにより、高精細化及び狭額縁化により好適となる。
【００６４】
＜実施形態３＞
本発明の実施形態３を図１２によって説明する。この実施形態３では、上記した実施形態２から端側分割フレキシブル基板部２２８の平面形状を変更したものを示す。なお、上記した実施形態２と同様の構造、作用及び効果について重複する説明は省略する。
【００６５】
本実施形態に係る端側分割フレキシブル基板部２２８のうち、Ｘ軸方向（第２方向）についてリジッド基板部２２２に対して外側に配される第１端側部分２２４ａには、図１２に示すように、傾斜状部３３が形成されている。傾斜状部３３は、第１端側部分２２４ａにおける液晶パネル２１１側とは反対側の端部に形成されており、平面に視てＸ軸方向及びＹ軸方向の双方に対して傾斜するとともにその傾斜角度が一定となるようスロープ形状（直線的な傾斜形状）をなしている。傾斜状部３３は、第１端側部分２２４ａのうちリジッド基板部２２２との接続箇所から液晶パネル２１１に対する取付位置の手前となる位置までの範囲に設けられている。このような傾斜状部３３を設けることで、端側分割フレキシブル基板部２２８が隣接配置されたヒンジ部ＨＩに対してより干渉し難くなる。また、傾斜状部３３が設けられた端側分割フレキシブル基板部２２８のうち、Ｘ軸方向についてリジッド基板部２２２に対して外側に配される第１端側部分２２４ａは、Ｙ軸方向（第１方向）についての寸法がＸ軸方向について端側から中央側に向けて連続的に漸次増加するよう形成されている、と言える。
【００６６】
以上説明したように本実施形態によれば、フレキシブル基板部２２３は、フレキシブル端側部分２２４のうちリジッド基板部２２２に対して第２方向について外側に配される部分である第１端側部分２２４ａに隣り合う部分である第２端側部分２２４ｂがリジッド基板部２２２に対して接続されるとともに、リジッド基板部２２２に対して第２方向について外側に配される部分である第１端側部分２２４ａにおける第１方向についての寸法が第２方向について端側から中央側に向けて増加するよう形成されている。フレキシブル基板部２２３は、液晶パネル２１１が高精細化されるのに伴って配線パターンの配置密度が高くなる傾向とされる。上記したようにリジッド基板部２２２に対して第２方向について外側に配される部分である第１端側部分２２４ａにおける第１方向についての寸法が第２方向について端側から中央側に向けて増加するよう形成されているので、仮にフレキシブル基板部のうちリジッド基板部に対して第２方向について外側に配される部分である第１端側部分の途中にスリットを設けるなどして第１方向についての寸法が第２方向について端側から中央側に向かう途中で局所的に小さくなる場合に比べると、配線パターンを高密度化する上で好適とされる。従って、液晶パネル２１１の高精細化に一層好適となる。
【００６７】
また、フレキシブル基板部２２３のうち、第２方向についてリジッド基板部２２２に対して外側に配されてフレキシブル端側部分２２４（端側分割フレキシブル基板部２２８）の少なくとも一部を構成する部分である第１端側部分２２４ａは、他端側の端部が傾斜状に形成されている。このように、フレキシブル基板部２２３のうち第２方向についてリジッド基板部２２２に対して外側に配される部分である第１端側部分２２４ａにおける他端側、つまり液晶パネル２１１側とは反対側の端部が傾斜状に形成されることで、フレキシブル基板部２２３に対して第１方向についての外側に他の部材を配した場合に他の部材が干渉し難くなる。
【００６８】
＜実施形態４＞
本発明の実施形態４を図１３によって説明する。この実施形態４では、上記した実施形態３から端側分割フレキシブル基板部３２８の平面形状をさらに変更したものを示す。なお、上記した実施形態３と同様の構造、作用及び効果について重複する説明は省略する。
【００６９】
本実施形態に係る端側分割フレキシブル基板部３２８のうち、Ｘ軸方向についてリジッド基板部３２２に対して外側に配される第１端側部分３２４ａに設けられた傾斜状部３３３は、図１３に示すように、平面に視て略円弧状をなしている。傾斜状部３３３は、その両端位置同士を結んだ線（弦）よりも外側、つまり液晶パネル３１１側とは反対側に膨出する（出っ張る）弓形形状とされている。このような構成であっても、上記した実施形態３と同様に端側分割フレキシブル基板部３２８とヒンジ部ＨＩとの干渉が生じ難くなる効果が得られる。
【００７０】
＜実施形態５＞
本発明の実施形態５を図１４によって説明する。この実施形態５では、上記した実施形態３から端側分割フレキシブル基板部４２８の平面形状をさらに変更したものを示す。なお、上記した実施形態３と同様の構造、作用及び効果について重複する説明は省略する。
【００７１】
本実施形態に係る端側分割フレキシブル基板部４２８のうち、Ｘ軸方向についてリジッド基板部４２２に対して外側に配される第１端側部分４２４ａに設けられた傾斜状部４３３は、図１４に示すように、第１端側部分４２４ａのうちリジッド基板部４２２との接続箇所から液晶パネル４１１に対する取付位置までの範囲、つまり液晶パネル４１１とは非重畳となるほぼ全域にわたって設けられている。このような構成であっても、上記した実施形態３と同様に端側分割フレキシブル基板部４２８とヒンジ部ＨＩとの干渉が生じ難くなる効果が得られる。
【００７２】
＜実施形態６＞
本発明の実施形態６を図１５によって説明する。この実施形態６では、上記した実施形態２から中央側分割フレキシブル基板部５２９を非分割構造としたものを示す。なお、上記した実施形態２と同様の構造、作用及び効果について重複する説明は省略する。
【００７３】
本実施形態に係るフレキシブル基板部５２３は、図１５に示すように、一対の端側分割フレキシブル基板部５２８と、一対の端側分割フレキシブル基板部５２８間に挟み込まれる形で配された１つの中央側分割フレキシブル基板部５２９とから構成される。言い換えると、フレキシブル基板部５２３における分割位置は、フレキシブル端側部分５２４とフレキシブル中央側部分５２５との境界位置のみに設定されていることになる。これにより、中央側分割フレキシブル基板部５２９は、Ｘ軸方向について途中で分割されることがない、非分割構造となっている。このような構成であっても、中央側分割フレキシブル基板部５２９は、Ｙ軸方向についての寸法が全長にわたってほぼ一定とされ、また端側分割フレキシブル基板部５２８もＹ軸方向についての寸法が全長にわたってほぼ一定とされる。このような構成であっても、上記した実施形態２と同様にフレキシブル基板部５２３を液晶パネル５１１に対して熱圧着する際に生じる各分割フレキシブル基板部５２８，５２９の熱膨張または熱収縮に起因する伸縮量が小さなものとなるので、液晶パネル５１１に対する取付位置が適切なものとなる、などの効果が得られる。
【００７４】
＜実施形態７＞
本発明の実施形態７を図１６によって説明する。この実施形態７では、上記した実施形態２からフレキシブル基板部６２３における分割位置を変更したものを示す。なお、上記した実施形態２と同様の構造、作用及び効果について重複する説明は省略する。
【００７５】
本実施形態に係るフレキシブル基板部６２３は、図１６に示すように、フレキシブル端側部分６２４の全域とフレキシブル中央側部分６２５の一部とを含む一対の端側分割フレキシブル基板部６２８と、フレキシブル中央側部分６２５の残りの部分を含む１つの中央側分割フレキシブル基板部６２９とから構成される。各端側分割フレキシブル基板部６２８は、フレキシブル端側部分６２４の全域に加えて、フレキシブル中央側部分６２５のうちフレキシブル端側部分６２４に隣り合う部分を含んでおり、その長さ寸法は中央側分割フレキシブル基板部６２９とほぼ同じ程度とされる。つまり、フレキシブル基板部６２３は、等間隔に３等分されており、その分割位置はフレキシブル端側部分６２４とフレキシブル中央側部分６２５との境界位置からはＸ軸方向についてずれた位置に設定されている。各端側分割フレキシブル基板部６２８は、液晶パネル６１１の非表示部ＮＡＡにおいて端側から数えて４つのドライバ６１２に対してそれぞれ接続されている。中央側分割フレキシブル基板部６２９は、液晶パネル６１１の非表示部ＮＡＡにおける中央側の４つのドライバ６１２に対して接続されている。このような構成であっても、上記した実施形態２と同様にフレキシブル基板部６２３を液晶パネル６１１に対して熱圧着する際に生じる各分割フレキシブル基板部６２８，６２９の熱膨張または熱収縮に起因する伸縮量が小さなものとなるので、液晶パネル６１１に対する取付位置が適切なものとなる、などの効果が得られる。
【００７６】
＜実施形態８＞
本発明の実施形態８を図１７によって説明する。この実施形態８では、上記した実施形態１からリジッド基板部７２２の形状を変更したものを示す。なお、上記した実施形態１と同様の構造、作用及び効果について重複する説明は省略する。
【００７７】
本実施形態に係るリジッド基板部７２２は、図１７に示すように、Ｙ軸方向についての寸法（幅寸法）が全長にわたってほぼ一定とされるとともに、平面に視てＸ軸方向について延在する途中で屈曲された形状とされている。詳しくは、リジッド基板部７２２を構成するリジッド端側部分７２６及びリジッド中央側部分７２７は、フレキシブル基板部７２３側の端部、及びその反対側の端部が共に段差状をなしており、リジッド端側部分７２６がリジッド中央側部分７２７よりもリジッド基板部７２２側（フレキシブル基板部７２３側とは反対側）に引っ込んでいる。リジッド基板部７２２は、リジッド端側部分７２６からリジッド中央側部分７２７に至る途中で略クランク状に屈曲されている。そして、リジッド端側部分７２６及びリジッド中央側部分７２７は、幅寸法がほぼ同一とされている。
【００７８】
＜実施形態９＞
本発明の実施形態９を図１８によって説明する。この実施形態９では、上記した実施形態２からフレキシブル基板部８２３におけるフレキシブル端側部分８２４の形成範囲を変更するとともに、リジッド基板部８２２の形状を変更したものを示す。なお、上記した実施形態２と同様の構造、作用及び効果について重複する説明は省略する。
【００７９】
本実施形態に係るフレキシブル端側部分８２４は、図１８に示すように、フレキシブル基板部８２３のうちリジッド基板部８２２に対してＸ軸方向について外側に配される部分のみによって構成されている。従って、フレキシブル基板部８２３の残りの部分、つまりＸ軸方向についてリジッド基板部８２２と重なり合う部分の全域によってフレキシブル中央側部分８２５が構成されることになる。これに対し、リジッド基板部８２２は、全長にわたってＹ軸方向についての寸法（幅寸法）が全長にわたってほぼ一定とされるとともに、Ｘ軸方向に沿って途中で屈曲されることがないほぼ真っ直ぐな形状とされる。リジッド基板部８２２は、フレキシブル基板部８２３側の端部、及びその反対側の端部が共に直線状をなしている。フレキシブル端側部分８２４に形成されたフレキシブル側配線部８２０ａは、リジッド基板部８２２におけるＹ軸方向に沿う端部から接続が図られている。
【００８０】
＜実施形態１０＞
本発明の実施形態１０を図１９または図２０によって説明する。この実施形態１０では、上記した実施形態２に記載したフレキシブルリジッド基板に代えて、フレキシブル基板３４とリジッド基板３５との２部品を用いるようにしたものを示す。なお、上記した実施形態２と同様の構造、作用及び効果について重複する説明は省略する。
【００８１】
本実施形態に係る液晶パネル９１１には、図１９及び図２０に示すように、柔軟性に富んだフレキシブル基板３４の一端側が取り付けられており、そのフレキシブル基板３４の他端側には、柔軟性を殆ど有さない硬質なリジッド基板（信号供給基板）３５が接続されている。フレキシブル基板３４は、上記した実施形態２に記載したフレキシブル基板部１２３と同様に複数に分割されており、フレキシブル端側部分９２４を構成する端側分割フレキシブル基板３４ａと、フレキシブル中央側部分９２５を構成する中央側分割フレキシブル基板３４ｂとからなるものとされる。各分割フレキシブル基板３４ａ，３４ｂには、フレキシブル側配線部９２０ａが形成されるとともに、フレキシブル側配線部９２０ａの一端側には液晶パネル９１１のパネル側フレキシブル基板用端子部に接続されるパネル用フレキシブル側端子部が設けられ、さらにはフレキシブル側配線部９２０ａの他端側にはリジッド基板３５のリジッド基板側フレキシブル基板用端子部に接続されるリジッド基板用フレキシブル側端子部が設けられている。これらの各端子部は、ＡＣＦを介して電気的に接続されている。なお、これら各端子部及びＡＣＦの図示は省略する。そして、端側分割フレキシブル基板３４ａは、Ｘ軸方向についてリジッド基板３５に対して外側に配される部分を有するとともに、そのＹ軸方向についての寸法が、中央側分割フレキシブル基板３４ｂの同寸法よりも大きなものとされる。リジッド基板３５は、端側分割フレキシブル基板３４ａに接続されるリジッド端側部分３５ａが、中央側分割フレキシブル基板３４ｂに接続されるリジッド中央側部分３５ｂよりもＹ軸方向についての寸法に関して相対的に小さなものとされる。
【００８２】
＜実施形態１１＞
本発明の実施形態１１を図２１によって説明する。この実施形態１１では、液晶表示装置を備えるタブレット型ノートパソコンＴＮＰを示す。なお、上記した実施形態１と同様の構造、作用及び効果について重複する説明は省略する。
【００８３】
本実施形態に係るタブレット型ノートパソコンＴＮＰは、図２１に示すように、液晶表示装置を備えるのに加え、使用者が情報を入力するためのタッチパネルやタッチパネルを保護するためのカバーパネルを備えており、上記した実施形態１に記載したノート側パソコンのようなヒンジ部、つまり折り畳み構造を有していない。このようなタブレット型ノートパソコンＴＮＰにおいても、内部に有されるスピーカや電池などが液晶表示装置に備えられるフレキシブルリジッド基板に干渉することが懸念される場合がある。そのような場合でも、フレキシブルリジッド基板を上記した実施形態１に記載した構成とすることで、スピーカや電池などの部品に対してフレキシブルリジッド基板が干渉し難くすることが可能とされる。
【００８４】
＜他の実施形態＞
本発明は上記記述及び図面によって説明した実施形態に限定されるものではなく、例えば次のような実施形態も本発明の技術的範囲に含まれる。
（１）上記した各実施形態（実施形態９を除く）では、フレキシブル基板部（フレキシブル基板）を構成するフレキシブル端側部分における第１端側部分と第２端側部分とがほぼ同じ長さ寸法とされるものを示したが、第１端側部分が第２端側部分よりも長さ寸法が大きくされるものや、逆に小さくされるものも本発明に含まれる。
【００８５】
（２）上記した各実施形態（実施形態９を除く）では、フレキシブル基板部（フレキシブル基板）を構成するフレキシブル端側部分における第１端側部分と第２端側部分との境界位置が、リジッド基板部（リジッド基板）におけるリジッド端側部分とリジッド側中央側部分との境界位置とほぼ一致する構成のものを示したが、前者の境界位置が後者の境界位置に対してＸ軸方向について端寄りにずれた配置としたものや、逆にＸ軸方向について中央寄りにずれた配置としたものも本発明に含まれる。
【００８６】
（３）上記した各実施形態（実施形態９を除く）では、フレキシブル基板部（フレキシブル基板）を構成するフレキシブル端側部分における第１端側部分と第２端側部分との境界位置が、液晶パネルにおいて隣り合うドライバ間の境界位置とほぼ一致する構成のものを示したが、両境界位置がＸ軸方向についてずれた配置とすることも可能である。
【００８７】
（４）上記した実施形態１〜９では、フレキシブルリジッド基板が一対のリジッド材を備える構成のものを示したが、リジッド材を３枚以上積層するようにしたものも本発明に含まれる。
【００８８】
（５）上記した各実施形態では、液晶パネルにおいてドライバが１２個並列配置されるものを示したが、ドライバの実装数は１２個以外（１１個以下、または１３個以上）にも適宜に変更可能である。
【００８９】
（６）上記した実施形態２〜７，９，１０では、２つのドライバを１つの分割フレキシブル基板部（分割フレキシブル基板）に接続したものを示したが、例えば上記した（５）を適用してドライバの実装数を各分割フレキシブル基板部の設置数と同数とした場合に各分割フレキシブル基板部に対して各ドライバを個別に接続する構成とすることも可能である。それ以外にも、ドライバの実装数を各分割フレキシブル基板部の設置数の３以上の整数倍とした場合に各分割フレキシブル基板に対して各ドライバを３つ以上ずつ接続する構成とすることも可能である。
【００９０】
（７）上記した実施形態２〜７，９，１０では、２つのドライバを１つの分割フレキシブル基板部（分割フレキシブル基板）に接続したものを示したが、複数のドライバを１つの分割フレキシブル基板部に接続する構成と、１つのドライバを１つの分割フレキシブル基板部に接続する構成とが混在する構成を採ることも可能である。
【００９１】
（８）上記した実施形態２〜７，９，１０以外にも、フレキシブル基板部（フレキシブル基板）の具体的な分割位置及び分割数は適宜に変更可能である。
【００９２】
（９）上記した実施形態２〜７，９の変形例として、フレキシブル材のうちリジッド基板部を構成する部分については非分割構造とし、フレキシブル基板部を構成する部分のみを分割構造とすることも可能である。
【００９３】
（１０）上記した実施形態１，８の変形例として、フレキシブル材のうちフレキシブル基板部を構成する部分を非分割構造とし、リジッド基板部を構成する部分については分割構造とすることも可能である。
【００９４】
（１１）上記した各実施形態では、リジッド基板部（リジッド基板）の幅寸法に関して、リジッド端側部分の方がリジッド中央側部分よりも小さくなるものや、全長にわたって一定とされるものを示したが、リジッド端側部分の方がリジッド中央側部分よりも幅寸法が大きくなる設定とすることも可能である。
【００９５】
（１２）上記した実施形態３〜７，９，１０は、実施形態２の変形例として記載したが、このうち実施形態３〜５，９，１０に記載した技術事項は、実施形態１に記載した構成にも勿論適用可能である。また、上記した実施形態１１と実施形態２〜１０とを組み合わせることも勿論可能である。それ以外にも各実施形態同士を自由に組み合わせることが可能である。
【００９６】
（１３）上記した実施形態４の変形例として、端側分割フレキシブル基板部（フレキシブル端側部分）の第１端側部分に形成される傾斜状部が、その両端位置同士を結んだ線（弦）よりも内側、つまり液晶パネル側に引っ込む（凹む）弓形形状とされるものも本発明に含まれる。
【００９７】
（１４）上記した各実施形態では、フレキシブル基板部（フレキシブル基板）とリジッド基板部（リジッド基板）とにおける長さ寸法の差が、一対のヒンジ部の配置領域の長さ寸法と同じ程度かそれよりもやや小さい程度とされるものを示したが、上記長さ寸法の差が一対のヒンジ部の配置領域の長さ寸法よりも大きくなる設定とすることも可能である。
【００９８】
（１５）上記した実施形態１〜１０では、液晶表示装置を備えたノート型パソコンを例示したが、ノート型パソコン以外にも折り畳み式でヒンジ部を有する電子機器として、例えば折り畳み式携帯電話や折り畳み式ゲーム機などにも本発明は適用可能である。
【００９９】
（１６）上記した実施形態１１では、液晶表示装置を備えたタブレット型ノートパソコンを例示したが、タブレット型ノートパソコン以外にもヒンジ部を有さない電子機器として、例えばスマートフォン、テレビ受信装置、デジタルサイネージなどにも本発明は適用可能である。
【０１００】
（１７）上記した各実施形態では、液晶パネルの画面サイズが数インチ〜１０数インチ程度とされるものを示したが、画面サイズが例えば２０インチ〜９０インチで、中型または大型（超大型）に分類される液晶パネルを用いた液晶表示装置にも本発明は適用可能である。
【０１０１】
（１８）上記した各実施形態では、液晶パネルが有するカラーフィルタの着色部をＲ，Ｇ，Ｂの３色としたものを例示したが、着色部を４色以上とすることも可能である。
【０１０２】
（１９）上記した各実施形態では、横長な方形状をなす液晶パネルを例示したが、縦長な方形状をなす液晶パネルや正方形状をなす液晶パネルにも本発明は適用可能である。
【０１０３】
（２０）上記した各実施形態では、外部光源であるバックライト装置を備えた透過型の液晶表示装置を例示したが、本発明は、外光を利用して表示を行う反射型液晶表示装置にも適用可能であり、その場合はバックライト装置を省略することができる。
【０１０４】
（２１）上記した各実施形態では、液晶表示装置のスイッチング素子としてＴＦＴを用いたが、ＴＦＴ以外のスイッチング素子（例えば薄膜ダイオード（ＴＦＤ））を用いた液晶表示装置にも適用可能であり、またカラー表示する液晶表示装置以外にも、白黒表示する液晶表示装置にも適用可能である。
【０１０５】
（２２）上記した各実施形態では、表示パネルとして液晶パネルを用いた液晶表示装置を例示したが、他の種類の表示パネル（ＰＤＰ（プラズマディスプレイパネル）や有機ＥＬパネルなど）を用いた表示装置にも本発明は適用可能である。その場合、バックライト装置を省略することが可能である。
【０１０６】
（２３）上記した各実施形態では、液晶パネルにおいて表示部が長辺方向については中央に配されるものの短辺方向についての一方の端部側に片寄った配置とされたものを示したが、液晶パネルにおいて表示部が短辺方向については中央に配されるものの長辺方向について一方の端部側に片寄った配置とされるものも本発明に含まれる。また、液晶パネルにおいて表示部が長辺方向及び短辺方向についてそれぞれ一方の端部側に片寄った配置とされるものも本発明に含まれる。逆に、液晶パネルにおいて表示部が長辺方向及び短辺方向について中央に配置されるものも本発明に含まれる。
【０１０７】
（２４）上記した各実施形態では、フレキシブルリジッド基板の長さ寸法が、液晶パネルの長辺寸法よりもやや短い程度とされるものを例示したが、フレキシブルリジッド基板の具体的な長さ寸法は、適宜に変更可能であり、例えば液晶パネルの長辺寸法の半分程度などとすることが可能である。
【符号の説明】
【０１０８】
１０…液晶表示装置（表示装置）、１１，１１１，２１１，３１１，４１１，５１１，６１１，９１１…液晶パネル（表示パネル）、１１ａ…ＣＦ基板（基板）、１１ｂ…アレイ基板（基板）、１１ｃ…液晶層（液晶）、１２，１１２，６１２…ドライバ（駆動回路部）、１３，１１３…フレキシブルリジッド基板、１８，１１８…パネル側入力配線部（信号伝送配線）、２０，１２０…フレキシブル材、２０ａ，８２０ａ，９２０ａ…フレキシブル側配線部（配線パターン）、２１…リジッド材、２２，１２２，２２２，３２２，４２２，７２２，８２２…リジッド基板部（信号供給基板）、２３，１２３，２２３，５２３，６２３，７２３，８２３…フレキシブル基板部（フレキシブル基板）、２４，１２４，２２４，５２４，６２４，８２４，９２４…フレキシブル端側部分（端側部分）、２４ａ，２２４ａ，３２４ａ，４２４ａ…第１端側部分（信号供給基板に対して第２方向について外側に配される部分）、２４ｂ…第２端側部分（隣り合う部分）、２５，１２５，５２５，６２５，８２５，９２５…フレキシブル中央側部分（中央側部分）、２６，７２６…リジッド端側部分（端側部分）、２７，１２７，７２７…リジッド中央側部分（中央側部分）、２８，２２８，３２８，４２８，５２８，６２８…端側分割フレキシブル基板部（端側分割フレキシブル基板）、２９，５２９，６２９…中央側分割フレキシブル基板部（中央側分割フレキシブル基板）、３０…中央側分割フレキシブル基板部個片（中央側分割フレキシブル基板個片）、３１…端側用ドライバ（端側用駆動回路部）、３２…中央側用ドライバ（中央側用駆動回路部）、３３，３３３，４３３…傾斜状部、３４…フレキシブル基板、３４ａ…端側分割フレキシブル基板、３４ｂ…中央側分割フレキシブル基板、３５…リジッド基板（信号供給基板）、３５ａ…リジッド端側部分（端側部分）、３５ｂ…リジッド中央側部分（中央側部分）、ＡＡ…表示部、ＮＡＡ…非表示部
【図１】
2014073504.tif 000003
【図２】
2014073504.tif 000004
【図３】
2014073504.tif 000005
【図４】
2014073504.tif 000006
【図５】
2014073504.tif 000007
【図６】
2014073504.tif 000008
【図７】
2014073504.tif 000009
【図８】
2014073504.tif 000010
【図９】
2014073504.tif 000011
【図１０】
2014073504.tif 000012
【図１１】
2014073504.tif 000013
【図１２】
2014073504.tif 000014
【図１３】
2014073504.tif 000015
【図１４】
2014073504.tif 000016
【図１５】
2014073504.tif 000017
【図１６】
2014073504.tif 000018
【図１７】
2014073504.tif 000019
【図１８】
2014073504.tif 000020
【図１９】
2014073504.tif 000021
【図２０】
2014073504.tif 000022
【図２１】
2014073504.tif 000023
【図２２】
2014073504.tif 000024
【手続補正書】
【提出日】平成28年5月6日(2016.5.6)
【手続補正１】
【補正対象書類名】特許請求の範囲
【補正対象項目名】全文
【補正方法】変更
【補正の内容】
【特許請求の範囲】
【請求項１】
画像を表示可能な表示部及び前記表示部外の非表示部を有する表示パネルと、  外部の信号供給源に接続される信号供給基板と、  可撓性を有しており、一端側が前記表示パネルの前記非表示部に取り付けられるのに対し、他端側が前記信号供給基板に接続されることで前記信号供給基板からの信号の供給を中継するフレキシブル基板であって、前記表示パネルと前記フレキシブル基板との並び方向を第１方向とし、前記表示パネルの板面に沿い且つ前記第１方向と直交する方向を第２方向としたとき、前記第２方向についての寸法が前記信号供給基板よりも相対的に大きなものとされるとともに、前記信号供給基板に対して前記第２方向について外側に配される部分を少なくとも含む端側部分の方が、前記端側部分に対して前記第２方向について中央側に配される中央側部分よりも前記第１方向についての寸法が相対的に大きなものとされるフレキシブル基板と、を備え、  前記信号供給基板は、前記フレキシブル基板の前記端側部分に接続される端側部分の方が、前記フレキシブル基板の前記中央側部分に接続される中央側部分よりも前記第１方向についての寸法が相対的に小さなものとされる表示装置。
【請求項２】
前記信号供給基板における前記端側部分及び前記中央側部分は、前記フレキシブル基板側とは反対側の端部が互いに面一状をなしている請求項１記載の表示装置。
【請求項３】
前記フレキシブル基板は、前記端側部分と前記中央側部分とが少なくとも分割されていて、前記端側部分からなる端側分割フレキシブル基板と、前記中央側部分からなる中央側分割フレキシブル基板とを少なくとも有してなる請求項１または請求項２記載の表示装置。
【請求項４】
前記中央側分割フレキシブル基板は、複数に分割されていて、複数の中央側分割フレキシブル基板個片からなる請求項３記載の表示装置。
【請求項５】
前記信号供給基板は、前記フレキシブル基板の前記端側部分に接続される端側部分の方が、前記フレキシブル基板の前記中央側部分に接続される中央側部分よりも前記第１方向についての寸法が相対的に小さなものとされており、  前記フレキシブル基板は、前記端側分割フレキシブル基板が前記信号供給基板の前記端側部分に接続されるのに対し、前記中央側分割フレキシブル基板が前記信号供給基板の前記中央側部分に接続されるよう構成されている請求項３または請求項４記載の表示装置。
【請求項６】
前記表示パネルの前記非表示部において前記表示部と前記フレキシブル基板との間に位置する形で取り付けられ、前記信号供給基板及び前記フレキシブル基板を介して供給される信号を処理して生成した出力信号を前記表示部に出力することで前記表示パネルを駆動する駆動回路部を備えており、  前記駆動回路部は、前記非表示部において前記第２方向に沿って複数並んで配されるとともに、前記端側分割フレキシブル基板に接続される端側用駆動回路部と、前記中央側分割フレキシブル基板に接続される中央側用駆動回路部とを少なくとも有してなる請求項３から請求項５のいずれか１項に記載の表示装置。
【請求項７】
画像を表示可能な表示部及び前記表示部外の非表示部を有する表示パネルと、  外部の信号供給源に接続される信号供給基板と、  可撓性を有しており、一端側が前記表示パネルの前記非表示部に取り付けられるのに対し、他端側が前記信号供給基板に接続されることで前記信号供給基板からの信号の供給を中継するフレキシブル基板であって、前記表示パネルと前記フレキシブル基板との並び方向を第１方向とし、前記表示パネルの板面に沿い且つ前記第１方向と直交する方向を第２方向としたとき、前記第２方向についての寸法が前記信号供給基板よりも相対的に大きなものとされるとともに、前記信号供給基板に対して前記第２方向について外側に配される部分を少なくとも含む端側部分の方が、前記端側部分に対して前記第２方向について中央側に配される中央側部分よりも前記第１方向についての寸法が相対的に大きなものとされるフレキシブル基板と、を備え、  前記フレキシブル基板は、前記端側部分と前記中央側部分とが少なくとも分割されていて、前記端側部分からなる端側分割フレキシブル基板と、前記中央側部分からなる中央側分割フレキシブル基板とを少なくとも有してなり、  前記信号供給基板は、前記フレキシブル基板の前記端側部分に接続される端側部分の方が、前記フレキシブル基板の前記中央側部分に接続される中央側部分よりも前記第１方向についての寸法が相対的に小さなものとされており、  前記フレキシブル基板は、前記端側分割フレキシブル基板が前記信号供給基板の前記端側部分に接続されるのに対し、前記中央側分割フレキシブル基板が前記信号供給基板の前記中央側部分に接続されるよう構成されている表示装置。
【請求項８】
前記中央側分割フレキシブル基板は、複数に分割されていて、複数の中央側分割フレキシブル基板個片からなる請求項７記載の表示装置。
【請求項９】
前記表示パネルの前記非表示部において前記表示部と前記フレキシブル基板との間に位置する形で取り付けられ、前記信号供給基板及び前記フレキシブル基板を介して供給される信号を処理して生成した出力信号を前記表示部に出力することで前記表示パネルを駆動する駆動回路部を備えており、  前記駆動回路部は、前記非表示部において前記第２方向に沿って複数並んで配されるとともに、前記端側分割フレキシブル基板に接続される端側用駆動回路部と、前記中央側分割フレキシブル基板に接続される中央側用駆動回路部とを少なくとも有してなる請求項７または請求項８記載の表示装置。
【請求項１０】
前記フレキシブル基板の前記端側部分には、前記信号供給基板に対して前記第２方向について外側に配される部分に加えてそれに隣り合う部分が含まれている請求項１から請求項９のいずれか１項に記載の表示装置。
【請求項１１】
前記フレキシブル基板は、前記端側部分のうち前記信号供給基板に対して前記第２方向について外側に配される部分に隣り合う部分が前記信号供給基板に対して接続されるとともに、前記信号供給基板に対して前記第２方向について外側に配される部分における前記第１方向についての寸法が前記第２方向について端側から中央側に向けて一定とされるよう、または増加するよう形成されている請求項１０記載の表示装置。
【請求項１２】
前記フレキシブル基板における前記端側部分及び前記中央側部分は、前記第１方向についての前記表示パネルに対する取付位置が同一とされる請求項１から請求項１１のいずれか１項に記載の表示装置。
【請求項１３】
前記フレキシブル基板のうち、前記第２方向について前記信号供給基板に対して外側に配されて前記端側部分の少なくとも一部を構成する部分は、前記他端側の端部が傾斜状に形成されている請求項１から請求項１２のいずれか１項に記載の表示装置。
【請求項１４】
前記信号供給基板と前記フレキシブル基板とが一体化されてなるフレキシブルリジッド基板を備えており、  前記フレキシブルリジッド基板は、可撓性を有するフレキシブル材の一部を相対的に硬質な一対のリジッド材により挟み込んだ構成とされるとともに、前記一対のリジッド材とそれらに挟み込まれた前記フレキシブル材の一部とにより構成されるリジッド基板部と、前記フレキシブル材の残りの部分により構成されるフレキシブル基板部とからなるものとされており、  前記フレキシブル基板部は、前記第２方向についての寸法が前記リジッド基板部よりも相対的に大きなものとされるとともに、前記リジッド基板部に対して前記第２方向について外側に配される部分を少なくとも含む端側部分の方が、前記端側部分に対して前記第２方向について中央側に配される中央側部分よりも前記第１方向についての寸法が相対的に大きなものとされる請求項１から請求項１３のいずれか１項に記載の表示装置。
【請求項１５】
前記表示パネルの前記非表示部において前記表示部と前記フレキシブル基板との間に位置する形で設けられ、前記信号供給基板及び前記フレキシブル基板を介して供給される信号を前記表示部に伝送する信号伝送配線を備えている請求項１から請求項１４のいずれか１項に記載の表示装置。
【請求項１６】
前記表示パネルは、一対の基板間に液晶を封入してなる液晶パネルとされる請求項１から請求項１５のいずれか１項に記載の表示装置。
【国際調査報告】
2014073504.tif 000025
2014073504.tif 000026
2014073504.tif 000027
2014073504.tif 000028